(57)【要約】【課題】作業現場まで効率よく正確かつ安全に出向く。【解決手段】センターサーバ３と通信ネットワークを介して接続される携帯端末４とを備え、センターサーバ３の記憶部３−３には、各管理区域Ｄｓの電柱Ｐの特定データＩｄと電柱Ｐの設備図面上の座標データＬｃ／ｘ：ｙとを含む情報と携帯端末４の特定情報ＷＭａ〜ＷＭｎとそれを利用する作業者情報Ｗａ〜Ｗｎとを含む携帯端末情報とが収納される。作業対象設備情報検索部１０により作業対象の電柱Ｐの特定データＩｄと座標データＬｃ／ｘ：ｙとを検索し、位置座標変換部１１により座標データＬｃ／ｘ：ｙを地図アプリケーションにより表示される地図上の座標に座標変換し、座標変換データＬｃ−Ｊｐ、Ｌｃ−ＷＧＳに基づいて電柱Ｐの位置を、地図アプリケーションの地図に反映させて表示し、当該管理区域Ｄｓ：Ａの作業者Ｗ（Ｗａ１）の携帯端末４に送信して表示させる。【選択図】図３
2016164655.tif 000002
【特許請求の範囲】
【請求項１】
インフラ設備の特定情報とこれらインフラ設備の設備図面上の座標データとを含むインフラ設備情報が収納された記憶手段に基づいてインフラ設備を管理するインフラ設備の管理システムであって、
インフラ設備情報が入力されると、記憶手段からインフラ設備の特定情報と座標データとを検索するインフラ設備情報検索手段と、
検索されたインフラ設備の設備図面上の座標データに基づいて、地図アプリケーションにより表示される地図上の座標に座標変換する位置座標変換手段と、
座標変換された座標変換データを地図アプリケーションにより表示される地図上に反映させて、地図アプリケーションの地図上でインフラ設備の位置を特定して表示する地図反映手段とを備え、
外部からインフラ設備情報が入力されると、表示手段にそのインフラ設備の位置が地図アプリケーションの地図に反映された地図情報を表示することを特徴とするインフラ設備の管理システム。
【請求項２】
記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、
外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、
外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴とする請求項１に記載のインフラ設備の管理システム。
【請求項３】
前記各手段をセンターサーバまたは移動可能な端末装置とのうち少なくともいずれか一方に設け、
前記各手段がセンターサーバに設けられる場合、センターサーバと端末装置とを通信ネットワークを通じて情報を遣り取り可能に接続し、
センターサーバが外部からインフラ設備情報を受け取ると、端末装置にそのインフラ設備の位置を地図アプリケーションの地図に反映させた地図情報を送信可能にしたことを特徴とする請求項２に記載のインフラ設備の管理システム。
【請求項４】
端末装置は、ＧＰＳ装置を備えた携帯可能な端末装置により構成されるとともに、端末装置は、センターサーバから作業対象のインフラ設備情報を受け取ると、ＧＰＳ装置により検出されたＧＰＳ位置情報をセンターサーバに送信するＧＰＳ位置情報送信手段を備えるとともに、
センターサーバまたは端末装置のうち少なくともいずれか一方には、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示する経路案内手段を備えたことを特徴とする請求項３に記載のインフラ設備の管理システム。
【請求項５】
センターサーバと端末装置とのうち少なくともいずれか一方は、地図アプリケーションを提供する外部の地図アプリケーション提供サーバと通信ネットワークを介して情報を遣り取り可能に接続されるとともに、端末装置から当該端末装置の現在のＧＰＳ位置情報を受け取ると、このＧＰＳ位置情報と記憶手段から受け取った作業対象のインフラ設備の位置情報とを地図アプリケーション提供サーバに送信するよう構成され、
地図アプリケーション提供サーバは、端末装置からまたは端末装置を通じてセンターサーバからＧＰＳ位置情報と作業対象のインフラ設備の位置情報とを受け取ると、これらＧＰＳ位置情報と作業対象のインフラ設備の位置情報とに基づいて、端末装置の現在の位置とインフラ設備の位置との間の経路を、提供した地図アプリケーションの地図に反映させて表示する経路案内情報をセンターサーバまたは端末装置のうち少なくともいずれか一方に送信して表示させるよう構成されることを特徴とする請求項３または４に記載のインフラ設備の管理システム。
【請求項６】
センターサーバと端末装置とのうち少なくともいずれか一方は、ある場所の風景を表示する風景表示アプリケーションを提供する外部の風景表示アプリケーション提供サーバと通信ネットワークを介して情報を遣り取り可能に接続されるとともに、
センターサーバと端末装置とのうち少なくともいずれか一方は、提供された風景表示アプリケーションにより記憶手段に収納された情報に基づいて作業対象のインフラ設備の位置情報を受け取ると、このインフラ設備の位置から、予め撮影した地図上の風景または予め撮影した道路沿いの風景と、地図の位置情報とを連携させて地図上の位置と風景とを切り替え可能にセンターサーバまたは端末装置のうち少なくともいずれか一方の画面に表示する風景表示手段を備え、
風景表示アプリケーション提供サーバは、センターサーバまたは端末装置からインフラ設備の位置情報を受け取ると、インフラ設備の位置情報とその周囲の風景とを切り替え可能にセンターサーバまたは端末装置のうち少なくともいずれか一方の画面に表示可能にしたことを特徴とする請求項３ないし５のうちいずれか１に記載のインフラ設備の管理システム。
【請求項７】
端末装置は、インフラ設備管理区域を担当する作業者の要求に応じて、複数の端末装置間において表示される画面を同一の画面で共有可能とする表示共有手段を備え、
作業者の要求に応じて、複数の端末装置間で同一の画面を共有可能とすることを特徴とする請求項２ないし６のうちいずれか１に記載のインフラ設備の管理システム。
【請求項８】
表示共有手段は、地図アプリケーションの地図に反映された地図情報、端末装置の現在の位置と作業対象のインフラ設備の位置との間の経路、この経路を地図アプリケーションの地図に反映させて表示される経路案内情報ならびに風景表示手段または風景表示アプリケーション提供サーバにより表示される風景の表示画面のうち少なくともいずれか１の画面を共有可能に表示することを特徴とする請求項７に記載のインフラ設備の管理システム。
【請求項９】
車両に搭載され、目的地を入力可能な入力部を有しメモリ部に収納された地図データに基づいて表示部に地図を表示して目的地までの経路を表示するナビゲーション用コンピュータとこのコンピュータとそれぞれ電気的に接続されたＧＰＳ装置と車両の方位と速度とを検知するセンサとを有するカーナビゲーションシステムを備え、
位置座標変換手段により座標変換され端末装置の画面に表示されたインフラ設備の座標変換データが、作業者によりカーナビゲーションシステムの入力部に入力されると、カーナビゲーションシステムの現在の位置と作業対象のインフラ設備の位置との間の経路をカーナビゲーションシステムの表示部に表示することを特徴とする請求項２ないし８のうちいずれか１に記載のインフラ設備の管理システム。
【請求項１０】
カーナビゲーションシステムは、リアルタイムで交通情報を提供する道路交通情報通信システムからの情報を受信可能に接続され、カーナビゲーションシステムは、交通状況を反映させて経路を表示することを特徴とする請求項９に記載のインフラ設備の管理システム。
【請求項１１】
センターサーバは、作業対象の電柱が含まれるインフラ設備管理区域担当の作業者の端末装置からそれぞれ、ＧＰＳ位置情報を受け取ると、作業対象のインフラ設備の位置に近い端末装置から順に序列付けして作業対象のインフラ設備の位置に対する各端末装置との位置関係をリスト化するとともに、リスト化された序列付け情報をＧＰＳ位置情報を受け取った端末装置に送信可能な序列情報作成手段を備えたことを特徴とする請求項３ないし１０のうちいずれか１に記載のインフラ設備の管理システム。
【請求項１２】
端末装置は、センターサーバから序列付け情報を受け取ると、作業受け入れの諾否情報をセンターサーバに送信する作業諾否情報送信手段を備え、
センターサーバは、端末装置から受け取った作業受け入れの諾否情報に基づいて、作業受け入れを承認した端末装置のうち、作業対象のインフラ設備の位置に近い１またはそれ以上の端末装置に作業の要・不要を指示する作業依頼情報を送信する作業依頼情報送信手段を備えたことを特徴とする請求項１１に記載のインフラ設備の管理システム。
【請求項１３】
端末装置の経路案内手段は、センターサーバから作業依頼情報を受け取ると、当該端末装置の位置と作業対象のインフラ設備の位置とに基づいて、作業対象のインフラ設備までの距離と外部から入力される道路状況の情報とから作業対象のインフラ設備に到着する到着予想時間を割り出し、その距離と到着予想時間とをセンターサーバに送信するとともに、端末装置の画面に表示する接近情報表示手段を備えていることを特徴とする請求項１２に記載のインフラ設備の管理システム。
【請求項１４】
外部からインフラ設備情報が入力されると、表示手段にそのインフラ設備情報に関連する複数のインフラ設備の位置またはそのインフラ設備情報に対応するインフラ設備の周囲にある複数のインフラ設備の位置のうち少なくともいずれか一方を、地図アプリケーションの地図に反映させて表示することを特徴とする請求項１ないし１３のうちいずれか１に記載のインフラ設備の管理システム。
【請求項１５】
インフラ設備には、外部からの指令に基づいて周囲の風景を撮影する撮像装置と外部からの指令信号を受信して撮像装置に指令信号を出力するとともにこの撮像装置で撮影された映像を外部に送信する通信装置とを設け、これら撮像装置と通信装置との設備情報が前記インフラ設備のインフラ設備情報と関連付けされることを特徴とする請求項１ないし１４のうちいずれか１に記載のインフラ設備の管理システム。
【請求項１６】
インフラ設備は、電柱、街路灯、信号機、道路標識、マンホール、施設、設備および建築物のうち少なくともいずれか１を含む固定構造体であることを特徴とする請求項１ないし１５のうちいずれか１に記載のインフラ設備の管理システム。
【請求項１７】
移動可能な端末装置は、ＧＰＳ装置を備えていることを特徴とする請求項３ないし１６のうちいずれか１に記載のインフラ設備の管理システム。
【請求項１８】
インフラ設備情報には、インフラ設備に取り付け自在で所定の機能を果たす機能型装置の機能型装置情報を含み、この機能型装置情報は、機能型装置の特定情報および種別情報と、種別毎に機能型装置が果たす機能の情報と、機能型装置が果たす機能の範囲情報と、その範囲を地図アプリケーションの地図上で視覚的に表示する機能範囲表示情報とを含み、
地図アプリケーションの地図上に表示されたインフラ設備に対して、外部から機能型装置情報が入力されると、インフラ設備情報と機能型装置情報とを関連付けするとともに、前記地図上で前記インフラ設備を中心に前記機能型装置の果たす機能の範囲を視覚的に表示する機能範囲情報反映手段を備えていることを特徴とする請求項１ないし１７のうちいずれか１に記載のインフラ設備の管理システム。
【請求項１９】
機能範囲情報反映手段は、インフラ設備情報と機能型装置情報とが関連付けされ、外部から登録情報が入力されると、記憶手段に更新可能に記憶させることを特徴とする請求項１８に記載のインフラ設備の管理システム。
【請求項２０】
機能型装置情報は、撮像装置の特定情報および撮影範囲が異なる種別情報と、種別毎に撮像装置が果たす撮影機能の情報と、撮像装置が撮影可能な撮影の範囲情報と、この撮影の範囲を地図アプリケーションの地図上で枠により表示する撮影範囲表示情報とを含む撮像装置情報を含み、
機能範囲情報反映手段は、地図アプリケーションの地図上に表示されたインフラ設備に対して、撮像装置情報が入力されると、インフラ設備情報と撮像装置情報とを関連付けするとともに、前記地図上で前記インフラ設備を中心に前記撮像装置の撮像範囲を枠により表示する撮影範囲情報反映手段を備えていることを特徴とする請求項１８または１９に記載のインフラ設備の管理システム。
【請求項２１】
機能型装置情報は、無線装置の特定情報および電波到達範囲が異なる種別情報と、種別毎に無線装置が果たす無線機能の情報と、無線装置の電波が到達可能な電波の到達範囲情報と、この電波の到達範囲を地図アプリケーションの地図上で円形枠により表示する電波到達範囲表示情報とを含む無線装置情報を含み、
機能範囲情報反映手段は、地図アプリケーションの地図上に表示されたインフラ設備に対して、無線装置情報が入力されると、インフラ設備情報と無線装置情報とを関連付けするとともに、前記地図上で前記インフラ設備を中心に前記無線装置の電波到達範囲を円形枠により表示する電波到達範囲情報反映手段を備えていることを特徴とする請求項１８または１９に記載のインフラ設備の管理システム。
【請求項２２】
インフラ設備の特定情報とこれらインフラ設備の設備図面上の座標データとを含むインフラ設備情報が収納された記憶手段に基づいてインフラ設備を管理するインフラ設備の管理方法であって、
インフラ設備情報が入力されると、記憶手段からインフラ設備の特定情報と座標データとを検索するインフラ設備情報検索手段と、
検索されたインフラ設備の設備図面上の座標データに基づいて、地図アプリケーションにより表示される地図上の座標に座標変換する位置座標変換手段と、
座標変換された座標変換データを地図アプリケーションにより表示される地図上に反映させて、地図アプリケーションの地図上でインフラ設備の位置を特定して表示する地図反映手段とを備え、
外部からインフラ設備情報が入力されると、表示手段にそのインフラ設備の位置が地図アプリケーションの地図に反映された地図情報を表示することを特徴とするインフラ設備の管理方法。
【請求項２３】
記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、
外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、
外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴とする請求項２２に記載のインフラ設備の管理方法。
【請求項２４】
前記各手段をセンターサーバまたは移動可能な端末装置とのうち少なくともいずれか一方に設け、
前記各手段がセンターサーバに設けられる場合、センターサーバと端末装置とを通信ネットワークを通じて情報を遣り取り可能に接続し、
センターサーバが外部からインフラ設備情報を受け取ると、端末装置にそのインフラ設備の位置を地図アプリケーションの地図に反映させた地図情報を送信可能にしたことを特徴とする請求項２２または２３に記載のインフラ設備の管理方法。
【請求項２５】
端末装置は、ＧＰＳ装置を備えた携帯可能な端末装置により構成されるとともに、端末装置は、センターサーバから作業対象のインフラ設備情報を受け取ると、ＧＰＳ装置により検出されたＧＰＳ位置情報をセンターサーバに送信するＧＰＳ位置情報送信手段を備えるとともに、
センターサーバまたは端末装置のうち少なくともいずれか一方には、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示する経路案内手段を備え、
センターサーバまたは端末装置のうち少なくともいずれか一方が外部からインフラ設備情報を受け取ると、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示することを特徴とする請求項２４に記載のインフラ設備の管理方法。
【請求項２６】
センターサーバと端末装置とのうち少なくともいずれか一方は、地図アプリケーションを提供する外部の地図アプリケーション提供サーバと通信ネットワークを介して情報を遣り取り可能に接続されるとともに、端末装置から当該端末装置の現在のＧＰＳ位置情報を受け取ると、このＧＰＳ位置情報と記憶手段から受け取った作業対象のインフラ設備の位置情報とを地図アプリケーション提供サーバに送信するよう構成され、
地図アプリケーション提供サーバは、端末装置からまたは端末装置を通じてセンターサーバからＧＰＳ位置情報と作業対象のインフラ設備の位置情報とを受け取ると、これらＧＰＳ位置情報と作業対象のインフラ設備の位置情報とに基づいて、端末装置の現在の位置とインフラ設備の位置との間の経路を、提供した地図アプリケーションの地図に反映させて表示する経路案内情報をセンターサーバまたは端末装置のうち少なくともいずれか一方に送信して表示させることを特徴とする請求項２４または２５に記載のインフラ設備の管理方法。
【請求項２７】
センターサーバと端末装置とのうち少なくともいずれか一方は、ある場所の風景を表示する風景表示アプリケーションを提供する外部の風景表示アプリケーション提供サーバと通信ネットワークを介して情報を遣り取り可能に接続されるとともに、
センターサーバと端末装置とのうち少なくともいずれか一方は、提供された風景表示アプリケーションにより記憶手段に収納された情報に基づいて作業対象のインフラ設備の位置情報を受け取ると、このインフラ設備の位置から、予め撮影した地図上の風景または予め撮影した道路沿いの風景と、地図の位置情報とを連携させて地図上の位置と風景とを切り替え可能にセンターサーバまたは端末装置のうち少なくともいずれか一方の画面に表示する風景表示手段を備え、
風景表示アプリケーション提供サーバは、センターサーバまたは端末装置からインフラ設備の位置情報を受け取ると、インフラ設備の位置情報とその周囲の風景とを切り替え可能にセンターサーバまたは端末装置のうち少なくともいずれか一方の画面に表示可能にしたことを特徴とする請求項２４ないし２６のうちいずれか１に記載のインフラ設備の管理方法。
【請求項２８】
端末装置は、インフラ設備管理区域を担当する作業者の要求に応じて、複数の端末装置間において表示される画面を同一の画面で共有可能とする表示共有手段を備え、
作業者の要求に応じて、複数の端末装置間で同一の画面を共有可能とすることを特徴とする請求項２３ないし２７のうちいずれか１に記載のインフラ設備の管理方法。
【請求項２９】
車両に搭載され、目的地を入力可能な入力部を有しメモリ部に収納された地図データに基づいて表示部に地図を表示して目的地までの経路を表示するナビゲーション用コンピュータとこのコンピュータとそれぞれ電気的に接続されたＧＰＳ装置と車両の方位と速度とを検知するセンサとを有するカーナビゲーションシステムを備え、
位置座標変換手段により座標変換され端末装置の画面に表示されたインフラ設備の座標変換データが、作業者によりカーナビゲーションシステムの入力部に入力されると、カーナビゲーションシステムの現在の位置と作業対象のインフラ設備の位置との間の経路をカーナビゲーションシステムの表示部に表示することを特徴とする請求項２３ないし２８のうちいずれか１に記載のインフラ設備の管理方法。
【請求項３０】
センターサーバは、序列情報作成手段により、作業対象の電柱が含まれるインフラ設備管理区域担当の作業者の端末装置からそれぞれ、ＧＰＳ位置情報を受け取ると、作業対象のインフラ設備の位置に近い端末装置から順に序列付けして作業対象のインフラ設備の位置に対する各端末装置との位置関係をリスト化するとともに、リスト化された序列付け情報をＧＰＳ位置情報を受け取った端末装置に送信可能にしたことを特徴とする請求項２４ないし２９のうちいずれか１に記載のインフラ設備の管理方法。
【請求項３１】
端末装置は、作業諾否情報送信手段により、センターサーバから序列付け情報を受け取ると、作業受け入れの諾否情報をセンターサーバに送信するとともに、
センターサーバは、作業依頼情報送信手段により、端末装置から受け取った作業受け入れの諾否情報に基づいて、作業受け入れを承認した端末装置のうち、作業対象のインフラ設備の位置に近い１またはそれ以上の端末装置に作業の要・不要を指示する作業依頼情報を送信することを特徴とする請求項３０に記載のインフラ設備の管理方法。
【請求項３２】
インフラ設備の特定情報とこれらインフラ設備の設備図面上の座標データとを含むインフラ設備情報が収納された記憶手段に基づいてインフラ設備を表示するインフラ設備の表示システムであって、
インフラ設備情報が入力されると、記憶手段からインフラ設備の特定情報と座標データとを検索するインフラ設備情報検索手段と、
検索されたインフラ設備の設備図面上の座標データに基づいて、地図アプリケーションにより表示される地図上の座標に座標変換する位置座標変換手段と、
座標変換された座標変換データを地図アプリケーションにより表示される地図上に反映させて、地図アプリケーションの地図上でインフラ設備の位置を特定して表示する地図反映手段とを備え、
外部からインフラ設備情報が入力されると、表示手段にそのインフラ設備の位置が地図アプリケーションの地図に反映された地図情報を表示することを特徴とするインフラ設備の表示システム。
【請求項３３】
インフラ設備の特定情報とこれらインフラ設備の設備図面上の座標データとを含むインフラ設備情報を更新可能に収納する記憶手段と、
インフラ設備情報が入力されると、記憶手段からインフラ設備の特定情報と座標データとを検索するインフラ設備情報検索手段と、
検索されたインフラ設備の設備図面上の座標データに基づいて、地図アプリケーションにより表示される地図上の座標に座標変換する位置座標変換手段と、
座標変換された座標変換データを地図アプリケーションにより表示される地図上に反映させて、地図アプリケーションの地図上でインフラ設備の位置を特定して表示する地図反映手段とを備え、
外部からインフラ設備情報が入力されると、表示部にそのインフラ設備の位置が地図アプリケーションの地図に反映された地図情報を表示することを特徴とするサーバ。
【請求項３４】
記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、
外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、
外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴とする請求項３３に記載のサーバ。
【請求項３５】
インフラ設備の特定情報とこれらインフラ設備の設備図面上の座標データとを含むインフラ設備情報を更新可能に収納する記憶手段と、
インフラ設備情報が入力されると、記憶手段からインフラ設備の特定情報と座標データとを検索するインフラ設備情報検索手段と、
検索されたインフラ設備の設備図面上の座標データに基づいて、地図アプリケーションにより表示される地図上の座標に座標変換する位置座標変換手段と、
座標変換された座標変換データを地図アプリケーションにより表示される地図上に反映させて、地図アプリケーションの地図上でインフラ設備の位置を特定して表示する地図反映手段とを備え、
外部からインフラ設備情報が入力されると、表示部にそのインフラ設備の位置が地図アプリケーションの地図に反映された地図情報を表示することを特徴とする端末装置。
【請求項３６】
記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、
外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、
外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴とする請求項３５に記載の端末装置。
【請求項３７】
記憶手段にインフラ設備の特定情報とこれらインフラ設備の設備図面上の座標データとを含むインフラ設備情報を更新可能に収納させるとともに、
インフラ設備情報が入力されると、記憶手段からインフラ設備の特定情報と座標データとを検索するインフラ設備情報検索手段と、
検索されたインフラ設備の設備図面上の座標データに基づいて、地図アプリケーションにより表示される地図上の座標に座標変換する位置座標変換手段と、
座標変換された座標変換データを地図アプリケーションにより表示される地図上に反映させて、地図アプリケーションの地図上でインフラ設備の位置を特定して表示する地図反映手段とを備え、
外部からインフラ設備情報が入力されると、表示部にそのインフラ設備の位置が地図アプリケーションの地図に反映された地図情報を表示させることを特徴とするプログラム。
【請求項３８】
記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、
外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、
外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示させることを特徴とする請求項３７に記載のプログラム。
【発明の詳細な説明】
【技術分野】
【０００１】
本発明は、電柱や街路灯、道路標識等のインフラ設備の管理システムとその方法ならびにその表示システム、それに用いられるサーバ、端末装置およびプログラムに関するものである。
【背景技術】
【０００２】
一般に、電柱を移設したり、電柱に設けられた設備の点検作業を行うには、管理センターにおいて管理区域で電柱が配置された図面に基づいて、作業対象となる電柱を割り出して、電柱の識別番号を特定し、特定された電柱の設備情報と位置情報とに基づいて、作業員が紙に表示された地図により、作業現場に行くようになっている。このようなやり方では、図面上の電柱を探し出して作業現場に到着するまで時間がかかるという問題がある。
【０００３】
このため、従来、電柱等のインフラ設備を所有する事業者は設備図面上の電柱の位置情報を座標系のデータで公開し、公開されたデータに基づいて、他の事業者がデジタル地図を作成し、このデジタル地図を保守管理のツールや警察や消防への通報者位置特定のツールとして提供している（例えば、非特許文献１参照）。提供されるデータは、電柱位置座標データ、地図データ、地図データと電柱データとが一体のデータなどである。
【０００４】
このような提供されるデータは、日本平面直角座標系に基づき、地図データでは、例えば、ＤＸＦ（Drawing Exchange Format)形式で、電柱位置座標データでは、例えば、ＣＳＶ（Comma-Separated Values）形式で提供される。
【先行技術文献】
【特許文献】
【０００５】
【非特許文献１】”東京電力のデジタル地図、TEPCO Digital Map”カタログ、[online]、東電タウンプランニング株式会社、［平成２７年１月１４日検索］、インターネット＜URL : http://www.ttplan.co.jp/electric/tdm.html＞
【発明の概要】
【発明が解決しようとする課題】
【０００６】
しかしながら、非特許文献１に記載の従来の管理システムでは、作業員は位置の特定しかできないので、紙にプリントするか、他の媒体に置き換えて作業現場まで向かわなければならず、経路が表示されないので、作業現場までは地図を頼らなければならないという問題がある。
【０００７】
本発明は、上記課題を解決するためになされたもので、インフラ設備の位置をアプリケーションの地図上で特定することができ、作業現場に向かう前に作業現場の様子を視覚的に確認することができるとともに、作業員が端末装置に表示させた地図アプリの地図を用いて作業員の現在の場所から作業場所までの進路や道筋を案内することができ、作業効率の向上を図ることができるインフラ設備の管理システムとその方法ならびにその表示システム、それに用いられるサーバ、端末装置およびプログラムを提供することを目的とする。
【課題を解決するための手段】
【０００８】
本発明の請求項１に係るインフラ設備の管理システムは、インフラ設備の特定情報とこれらインフラ設備の設備図面上の座標データとを含むインフラ設備情報が収納された記憶手段に基づいてインフラ設備を管理するインフラ設備の管理システムであって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示することを特徴としている。
【０００９】
本発明の請求項１に係るインフラ設備の管理システムでは、設備図面上の座標データが地図アプリケーションにより表示される地図上の座標に変換され、その座標変換データが地図アプリケーションの地図に反映される。このため、インフラ設備の位置をアプリケーションの地図上で特定するとともにインフラ設備の辺りを視覚的に確認できる。
【００１０】
本発明の請求項２に係るインフラ設備の管理システムは、記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴としている。
【００１１】
本発明の請求項２に係るインフラ設備の管理システムでは、インフラ設備管理区域を担当する作業者の端末装置と、外部から作業対象のインフラ設備情報を入力した通報者側またはインフラ設備の管理者側のうち少なくともいずれか一方とに、インフラ設備の位置が地図アプリケーションの地図に反映されて表示される。インフラ設備管理区域を担当する作業者は、インフラ設備に向かう前にその辺りを視覚的に確認できる。
【００１２】
本発明の請求項３に係るインフラ設備の管理システムは、前記各手段をセンターサーバまたは移動可能な端末装置とのうち少なくともいずれか一方に設け、前記各手段がセンターサーバに設けられる場合、センターサーバと端末装置とを通信ネットワークを通じて情報を遣り取り可能に接続し、センターサーバが外部からインフラ設備情報を受け取ると、端末装置にそのインフラ設備の位置を地図アプリケーションの地図に反映させた地図情報を送信可能にしたことを特徴としている。
【００１３】
本発明の請求項３に係るインフラ設備の管理システムでは、管理者側のセンターサーバの表示部またはインフラ設備管理区域を担当する作業者側の端末装置のうち少なくともいずれか一方に、インフラ設備の位置が地図アプリケーションの地図に反映されて表示される。作業者は移動前だけでなく、移動中もアプリの地図を通じてインフラ設備の位置を確認することができる。
【００１４】
本発明の請求項４に係るインフラ設備の管理システムは、端末装置は、ＧＰＳ装置を備えた携帯可能な端末装置により構成されるとともに、端末装置は、センターサーバから作業対象のインフラ設備情報を受け取ると、ＧＰＳ装置により検出されたＧＰＳ位置情報をセンターサーバに送信するＧＰＳ位置情報送信手段を備えるとともに、センターサーバまたは端末装置のうち少なくともいずれか一方には、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示する経路案内手段を備えたことを特徴としている。
【００１５】
本発明の請求項４に係るインフラ設備の管理システムでは、実際の端末装置の位置からインフラ設備の位置までの経路が地図アプリケーションの地図に表示される。このため、作業現場までの到着時間が短縮化される。
【００１６】
本発明の請求項５に係るインフラ設備の管理システムは、センターサーバと端末装置とのうち少なくともいずれか一方は、地図アプリケーションを提供する外部の地図アプリケーション提供サーバと通信ネットワークを介して情報を遣り取り可能に接続されるとともに、端末装置から当該端末装置の現在のＧＰＳ位置情報を受け取ると、このＧＰＳ位置情報と記憶手段から受け取った作業対象のインフラ設備の位置情報とを地図アプリケーション提供サーバに送信するよう構成され、地図アプリケーション提供サーバは、端末装置からまたは端末装置を通じてセンターサーバからＧＰＳ位置情報と作業対象のインフラ設備の位置情報とを受け取ると、これらＧＰＳ位置情報と作業対象のインフラ設備の位置情報とに基づいて、端末装置の現在の位置とインフラ設備の位置との間の経路を、提供した地図アプリケーションの地図に反映させて表示する経路案内情報をセンターサーバまたは端末装置のうち少なくともいずれか一方に送信して表示させるよう構成されることを特徴としている。
【００１７】
本発明の請求項５に係るインフラ設備の管理システムでは、地図アプリケーション提供サーバにより提供される多種多様な地図アプリケーションの地図に、実際の端末装置の位置からインフラ設備の位置までの経路が表示される。
【００１８】
本発明の請求項６に係るインフラ設備の管理システムは、センターサーバと端末装置とのうち少なくともいずれか一方は、ある場所の風景を表示する風景表示アプリケーションを提供する外部の風景表示アプリケーション提供サーバと通信ネットワークを介して情報を遣り取り可能に接続されるとともに、センターサーバと端末装置とのうち少なくともいずれか一方は、提供された風景表示アプリケーションにより記憶手段に収納された情報に基づいて作業対象のインフラ設備の位置情報を受け取ると、このインフラ設備の位置から、予め撮影した地図上の風景または予め撮影した道路沿いの風景と、地図の位置情報とを連携させて地図上の位置と風景とを切り替え可能にセンターサーバまたは端末装置のうち少なくともいずれか一方の画面に表示する風景表示手段を備え、風景表示アプリケーション提供サーバは、センターサーバまたは端末装置からインフラ設備の位置情報を受け取ると、インフラ設備の位置情報とその周囲の風景とを切り替え可能にセンターサーバまたは端末装置のうち少なくともいずれか一方の画面に表示可能にしたことを特徴としている。
【００１９】
本発明の請求項６に係るインフラ設備の管理システムでは、インフラ設備管理区域を担当する作業者の端末装置に、地図アプリケーションの地図上で特定されたインフラ設備の周囲の風景が表示される。
【００２０】
本発明の請求項７に係るインフラ設備の管理システムは、端末装置は、インフラ設備管理区域を担当する作業者の要求に応じて、複数の端末装置間において表示される画面を同一の画面で共有可能とする表示共有手段を備え、作業者の要求に応じて、複数の端末装置間で同一の画面を共有可能とすることを特徴としている。
【００２１】
本発明の請求項８に係るインフラ設備の管理システムは、表示共有手段は、地図アプリケーションの地図に反映された地図情報、端末装置の現在の位置と作業対象のインフラ設備の位置との間の経路、この経路を地図アプリケーションの地図に反映させて表示される経路案内情報ならびに風景表示手段または風景表示アプリケーション提供サーバにより表示される風景の表示画面のうち少なくともいずれか１の画面を共有可能に表示することを特徴としている。
【００２２】
本発明の請求項９に係るインフラ設備の管理システムは、車両に搭載され、目的地を入力可能な入力部を有しメモリ部に収納された地図データに基づいて表示部に地図を表示して目的地までの経路を表示するナビゲーション用コンピュータとこのコンピュータとそれぞれ電気的に接続されたＧＰＳ装置と車両の方位と速度とを検知するセンサとを有するカーナビゲーションシステムを備え、位置座標変換手段により座標変換され端末装置の画面に表示されたインフラ設備の座標変換データが、作業者によりカーナビゲーションシステムの入力部に入力されると、カーナビゲーションシステムの現在の位置と作業対象のインフラ設備の位置との間の経路をカーナビゲーションシステムの表示部に表示することを特徴としている。
【００２３】
本発明の請求項９に係るインフラ設備の管理システムでは、端末装置の画面に表示されたインフラ設備の座標変換データが、作業者により車両に搭載されたカーナビゲーションシステムの入力部に入力されると、カーナビゲーションシステムにより車両の現在の位置とインフラ設備の位置の間の経路がカーナビゲーションシステムの表示部に表示される。このため、作業者は、端末装置だけでなく、カーナビゲーションシステムも併せて利用することができる。
【００２４】
本発明の請求項１０に係るインフラ設備の管理システムは、カーナビゲーションシステムは、リアルタイムで交通情報を提供する道路交通情報通信システムからの情報を受信可能に接続され、カーナビゲーションシステムは、交通状況を反映させて経路を表示することを特徴としている。
【００２５】
本発明の請求項１１に係るインフラ設備の管理システムは、センターサーバは、作業対象の電柱が含まれるインフラ設備管理区域担当の作業者の端末装置からそれぞれ、ＧＰＳ位置情報を受け取ると、作業対象のインフラ設備の位置に近い端末装置から順に序列付けして作業対象のインフラ設備の位置に対する各端末装置との位置関係をリスト化するとともに、リスト化された序列付け情報をＧＰＳ位置情報を受け取った端末装置に送信可能な序列情報作成手段を備えたことを特徴としている。
【００２６】
本発明の請求項１１に係るインフラ設備の管理システムでは、端末装置が、センターサーバから作業対象のインフラ設備の位置に対する各端末装置との位置関係がリスト化された序列付け情報を受け取り、端末装置にその序列付け情報が表示されると、インフラ設備管理区域担当の作業者はどの作業者がインフラ設備の位置により近いか知ることができる。
【００２７】
本発明の請求項１２に係るインフラ設備の管理システムは、端末装置は、センターサーバから序列付け情報を受け取ると、作業受け入れの諾否情報をセンターサーバに送信する作業諾否情報送信手段を備え、センターサーバは、端末装置から受け取った作業受け入れの諾否情報に基づいて、作業受け入れを承認した端末装置のうち、作業対象のインフラ設備の位置に近い１またはそれ以上の端末装置に作業の要・不要を指示する作業依頼情報を送信する作業依頼情報送信手段を備えたことを特徴としている。
【００２８】
本発明の請求項１２に係るインフラ設備の管理システムでは、センターサーバの管理者側は、端末装置側から作業受け入れの諾否情報を受け取ると、この諾否情報に基づいて受け入れを承認した作業者の端末装置に作業の要・不要の指示を送ることができ、作業が効率化される。
【００２９】
本発明の請求項１３に係るインフラ設備の管理システムは、端末装置の経路案内手段は、センターサーバから作業依頼情報を受け取ると、当該端末装置の位置と作業対象のインフラ設備の位置とに基づいて、作業対象のインフラ設備までの距離と外部から入力される道路状況の情報とから作業対象のインフラ設備に到着する到着予想時間を割り出し、その距離と到着予想時間とをセンターサーバに送信するとともに、端末装置の画面に表示する接近情報表示手段を備えていることを特徴としている。
【００３０】
本発明の請求項１４に係るインフラ設備の管理システムは、外部からインフラ設備情報が入力されると、表示手段にそのインフラ設備情報に関連する複数のインフラ設備の位置またはそのインフラ設備情報に対応するインフラ設備の周囲にある複数のインフラ設備の位置のうち少なくともいずれか一方を、地図アプリケーションの地図に反映させて表示することを特徴としている。
【００３１】
本発明の請求項１４に係るインフラ設備の管理システムでは、あるインフラ設備情報が入力されると、そのインフラ設備情報に関連する複数のインフラ設備の位置を表示させることができるので、工事計画や補修計画などの作業効率を向上させることができる。また、そのインフラ設備情報に対応するインフラ設備の周囲にある複数のインフラ設備の位置も表示させることができるので、工事計画や補修計画などの作業効率を向上させることができる。さらに、複数のインフラ設備を表示させることができるので、インフラ計画を効率的に実施することができる。
【００３２】
本発明の請求項１５に係るインフラ設備の管理システムは、インフラ設備には、外部からの指令に基づいて周囲の風景を撮影する撮像装置と外部からの指令信号を受信して撮像装置に指令信号を出力するとともにこの撮像装置で撮影された映像を外部に送信する通信装置とを設け、これら撮像装置と通信装置との設備情報が前記インフラ設備のインフラ設備情報と関連付けされることを特徴としている。
【００３３】
本発明の請求項１５に係るインフラ設備の管理システムでは、インフラ設備の工事や補修を行う際、予めインフラ設備周囲の様子を撮像装置で確認することができるので、作業員の現地出向の準備が容易になりかつ効率化される。また、作業も短縮化することができる。
【００３４】
本発明の請求項１６に係るインフラ設備の管理システムは、インフラ設備は、電柱、街路灯、信号機、道路標識、マンホール、施設、設備および建築物のうち少なくともいずれか１を含む固定構造体であることを特徴としている。
【００３５】
本発明の請求項１７に係るインフラ設備の管理システムは、移動可能な端末装置は、ＧＰＳ装置を備えていることを特徴としている。
【００３６】
本発明の請求項１８に係るインフラ設備の管理システムは、インフラ設備情報には、インフラ設備に取り付け自在で所定の機能を果たす機能型装置の機能型装置情報を含み、この機能型装置情報は、機能型装置の特定情報および種別情報と、種別毎に機能型装置が果たす機能の情報と、機能型装置が果たす機能の範囲情報と、その範囲を地図アプリケーションの地図上で視覚的に表示する機能範囲表示情報とを含み、地図アプリケーションの地図上に表示されたインフラ設備に対して、外部から機能型装置情報が入力されると、インフラ設備情報と機能型装置情報とを関連付けするとともに、前記地図上で前記インフラ設備を中心に前記機能型装置の果たす機能の範囲を視覚的に表示する機能範囲情報反映手段を備えていることを特徴としている。
【００３７】
本発明の請求項１８に係るインフラ設備の管理システムでは、地図上でインフラ設備を中心に機能型装置の果たす機能の範囲を視覚的に表示することができるので、機能型装置の設置前に予め地図上でシミュレーションして確認でき、設置計画を効率的に行うことができる。
【００３８】
本発明の請求項１９に係るインフラ設備の管理システムは、機能範囲情報反映手段は、インフラ設備情報と機能型装置情報とが関連付けされ、外部から登録情報が入力されると、記憶手段に更新可能に記憶させることを特徴としている。
【００３９】
本発明の請求項１９に係るインフラ設備の管理システムでは、作業者が地図上でインフラ設備と機能型装置とを関連付けして登録するとこれら情報が記憶手段に記憶されるので、常時、最新のインフラ設備情報と機能型装置情報を得ることができ、作業効率が向上する。
【００４０】
本発明の請求項２０に係るインフラ設備の管理システムは、機能型装置情報は、撮像装置の特定情報および撮影範囲が異なる種別情報と、種別毎に撮像装置が果たす撮影機能の情報と、撮像装置が撮影可能な撮影の範囲情報と、この撮影の範囲を地図アプリケーションの地図上で枠により表示する撮影範囲表示情報とを含む撮像装置情報を含み、機能範囲情報反映手段は、地図アプリケーションの地図上に表示されたインフラ設備に対して、撮像装置情報が入力されると、インフラ設備情報と撮像装置情報とを関連付けするとともに、前記地図上で前記インフラ設備を中心に前記撮像装置の撮像範囲を枠により表示する撮影範囲情報反映手段を備えていることを特徴としている。
【００４１】
本発明の請求項２１に係るインフラ設備の管理システムは、機能型装置情報は、無線装置の特定情報および電波到達範囲が異なる種別情報と、種別毎に無線装置が果たす無線機能の情報と、無線装置の電波が到達可能な電波の到達範囲情報と、この電波の到達範囲を地図アプリケーションの地図上で円形枠により表示する電波到達範囲表示情報とを含む無線装置情報を含み、機能範囲情報反映手段は、地図アプリケーションの地図上に表示されたインフラ設備に対して、無線装置情報が入力されると、インフラ設備情報と無線装置情報とを関連付けするとともに、前記地図上で前記インフラ設備を中心に前記無線装置の電波到達範囲を円形枠により表示する電波到達範囲情報反映手段を備えていることを特徴としている。
【００４２】
本発明の請求項２２に係るインフラ設備の管理方法は、インフラ設備の特定情報とこれらインフラ設備の設備図面上の座標データとを含むインフラ設備情報が収納された記憶手段に基づいてインフラ設備を管理するインフラ設備の管理方法であって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示することを特徴としている。
【００４３】
本発明の請求項２２に係るインフラ設備の管理方法では、設備図面上の座標データが地図アプリケーションにより表示される地図上の座標に変換され、その座標変換データが地図アプリケーションの地図に反映される。このため、いつでもインフラ設備の位置をアプリケーションの地図上で特定するとともにインフラ設備の辺りを視覚的に確認できる。
【００４４】
本発明の請求項２３に係るインフラ設備の管理方法は、記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴としている。
【００４５】
本発明の請求項２４に係るインフラ設備の管理方法は、前記各手段をセンターサーバまたは移動可能な端末装置とのうち少なくともいずれか一方に設け、前記各手段がセンターサーバに設けられる場合、センターサーバと端末装置とを通信ネットワークを通じて情報を遣り取り可能に接続し、センターサーバが外部からインフラ設備情報を受け取ると、端末装置にそのインフラ設備の位置を地図アプリケーションの地図に反映させた地図情報を送信可能にしたことを特徴としている。
【００４６】
本発明の請求項２５に係るインフラ設備の管理方法は、端末装置が、ＧＰＳ装置を備えた携帯可能な端末装置により構成されるとともに、端末装置は、センターサーバから作業対象のインフラ設備情報を受け取ると、ＧＰＳ装置により検出されたＧＰＳ位置情報をセンターサーバに送信するＧＰＳ位置情報送信手段を備えるとともに、センターサーバまたは端末装置のうち少なくともいずれか一方には、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示する経路案内手段を備え、センターサーバまたは端末装置のうち少なくともいずれか一方が外部からインフラ設備情報を受け取ると、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示することを特徴としている。
【００４７】
本発明の請求項２５に係るインフラ設備の管理方法では、端末装置が、ＧＰＳ装置を備えた携帯可能な端末装置により構成されるとともに、端末装置は、センターサーバから作業対象のインフラ設備情報を受け取ると、ＧＰＳ装置により検出されたＧＰＳ位置情報をセンターサーバに送信するＧＰＳ位置情報送信手段を備えるとともに、センターサーバまたは端末装置のうち少なくともいずれか一方には、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示する経路案内手段を備え、センターサーバまたは端末装置のうち少なくともいずれか一方が外部からインフラ設備情報を受け取ると、端末装置の現在のＧＰＳ位置情報と記憶手段から受け取った作業対象のインフラ設備の位置情報とに基づいて、地図アプリケーションの地図上で端末装置の現在の位置と作業対象のインフラ設備の位置との間の経路を表示するようにしたことにより、実際の端末装置の位置からインフラ設備の位置までの経路が地図アプリケーションの地図に表示される。このため、作業現場までの到着時間が短縮化される。
【００４８】
本発明の請求項２６に係るインフラ設備の管理方法は、センターサーバと端末装置とのうち少なくともいずれか一方が、地図アプリケーションを提供する外部の地図アプリケーション提供サーバと通信ネットワークを介して情報を遣り取り可能に接続されるとともに、端末装置から当該端末装置の現在のＧＰＳ位置情報を受け取ると、このＧＰＳ位置情報と記憶手段から受け取った作業対象のインフラ設備の位置情報とを地図アプリケーション提供サーバに送信するよう構成され、地図アプリケーション提供サーバは、端末装置からまたは端末装置を通じてセンターサーバからＧＰＳ位置情報と作業対象のインフラ設備の位置情報とを受け取ると、これらＧＰＳ位置情報と作業対象のインフラ設備の位置情報とに基づいて、端末装置の現在の位置とインフラ設備の位置との間の経路を、提供した地図アプリケーションの地図に反映させて表示する経路案内情報をセンターサーバまたは端末装置のうち少なくともいずれか一方に送信して表示させることを特徴としている。
【００４９】
本発明の請求項２７に係るインフラ設備の管理方法は、センターサーバと端末装置とのうち少なくともいずれか一方が、ある場所の風景を表示する風景表示アプリケーションを提供する外部の風景表示アプリケーション提供サーバと通信ネットワークを介して情報を遣り取り可能に接続されるとともに、センターサーバと端末装置とのうち少なくともいずれか一方は、提供された風景表示アプリケーションにより記憶手段に収納された情報に基づいて作業対象のインフラ設備の位置情報を受け取ると、このインフラ設備の位置から、予め撮影した地図上の風景または予め撮影した道路沿いの風景と、地図の位置情報とを連携させて地図上の位置と風景とを切り替え可能にセンターサーバまたは端末装置のうち少なくともいずれか一方の画面に表示する風景表示手段を備え、風景表示アプリケーション提供サーバは、センターサーバまたは端末装置からインフラ設備の位置情報を受け取ると、インフラ設備の位置情報とその周囲の風景とを切り替え可能にセンターサーバまたは端末装置のうち少なくともいずれか一方の画面に表示可能にしたことを特徴としている。
【００５０】
本発明の請求項２８に係るインフラ設備の管理方法は、端末装置が、インフラ設備管理区域を担当する作業者の要求に応じて、複数の端末装置間において表示される画面を同一の画面で共有可能とする表示共有手段を備え、作業者の要求に応じて、複数の端末装置間で同一の画面を共有可能とすることを特徴としている。
【００５１】
本発明の請求項２９に係るインフラ設備の管理方法は、車両に搭載され、目的地を入力可能な入力部を有しメモリ部に収納された地図データに基づいて表示部に地図を表示して目的地までの経路を表示するナビゲーション用コンピュータとこのコンピュータとそれぞれ電気的に接続されたＧＰＳ装置と車両の方位と速度とを検知するセンサとを有するカーナビゲーションシステムを備え、位置座標変換手段により座標変換され端末装置の画面に表示されたインフラ設備の座標変換データが、作業者によりカーナビゲーションシステムの入力部に入力されると、カーナビゲーションシステムの現在の位置と作業対象のインフラ設備の位置との間の経路をカーナビゲーションシステムの表示部に表示することを特徴としている。
【００５２】
本発明の請求項３０に係るインフラ設備の管理方法は、センターサーバが、序列情報作成手段により、作業対象の電柱が含まれるインフラ設備管理区域担当の作業者の端末装置からそれぞれ、ＧＰＳ位置情報を受け取ると、作業対象のインフラ設備の位置に近い端末装置から順に序列付けして作業対象のインフラ設備の位置に対する各端末装置との位置関係をリスト化するとともに、リスト化された序列付け情報をＧＰＳ位置情報を受け取った端末装置に送信可能にしたことを特徴としている。
【００５３】
本発明の請求項３１に係るインフラ設備の管理方法は、端末装置が、作業諾否情報送信手段により、センターサーバから序列付け情報を受け取ると、作業受け入れの諾否情報をセンターサーバに送信するとともに、センターサーバは、作業依頼情報送信手段により、端末装置から受け取った作業受け入れの諾否情報に基づいて、作業受け入れを承認した端末装置のうち、作業対象のインフラ設備の位置に近い１またはそれ以上の端末装置に作業の要・不要を指示する作業依頼情報を送信することを特徴としている。
【００５４】
本発明の請求項３２に係るインフラ設備の表示システムは、インフラ設備の特定情報とこれらインフラ設備の設備図面上の座標データとを含むインフラ設備情報が収納された記憶手段に基づいてインフラ設備を表示するインフラ設備の表示システムであって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示することを特徴としている。
【００５５】
本発明の請求項３２に係るインフラ設備の表示システムでは、インフラ設備の特定情報とこれらインフラ設備の設備図面上の座標データとを含むインフラ設備情報が収納された記憶手段に基づいてインフラ設備を表示するインフラ設備の表示システムであって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示するようにしたことにより、設備図面上の座標データが地図アプリケーションにより表示される地図上の座標に変換され、その座標変換データが地図アプリケーションの地図に反映される。このため、いつでもインフラ設備の位置をアプリケーションの地図上で特定するとともにインフラ設備の辺りを視覚的に確認できる。
【００５６】
本発明の請求項３３に係るサーバは、インフラ設備の特定情報とこれらインフラ設備の設備図面上の座標データとを含むインフラ設備情報を更新可能に収納する記憶手段と、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示部にそのインフラ設備の位置が地図アプリケーションの地図に反映された地図情報を表示することを特徴としている。
【００５７】
本発明の請求項３４に係るサーバは、記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴としている。
【００５８】
本発明の請求項３５に係る端末装置は、インフラ設備の特定情報とこれらインフラ設備の設備図面上の座標データとを含むインフラ設備情報を更新可能に収納する記憶手段と、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示部にそのインフラ設備の位置が地図アプリケーションの地図に反映された地図情報を表示することを特徴としている。
【００５９】
本発明の請求項３６に係る端末装置は、記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示することを特徴としている。
【００６０】
本発明の請求項３７に係るプログラムは、記憶手段にインフラ設備の特定情報とこれらインフラ設備の設備図面上の座標データとを含むインフラ設備情報を更新可能に収納させるとともに、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示部にそのインフラ設備の位置が地図アプリケーションの地図に反映された地図情報を表示させることを特徴としている。
【００６１】
本発明の請求項３８に係るプログラムは、記憶手段には、各インフラ設備管理区域におけるインフラ設備の特定情報とこれらインフラ設備の設備図面上の座標データとを含むインフラ設備情報と、各インフラ設備管理区域における作業者の特定情報とその作業者により利用される端末装置の特定情報とを含む端末装置情報とが収納されるとともに、外部から作業対象のインフラ設備情報が入力されると、記憶手段からその情報に基づいて、インフラ設備管理区域を割り出し、当該インフラ設備管理区域を担当する作業者が利用する端末装置の特定情報を導き、導かれた端末装置に作業対象のインフラ設備情報を送信するインフラ設備情報送信手段を備えて構成し、外部から作業対象のインフラ設備情報が入力されると、インフラ設備管理区域を担当する作業者の端末装置と、外部から作業対象のインフラ設備情報を入力した通報者側またはインフラ設備の管理者側のうち少なくともいずれか一方とに、その作業対象のインフラ設備の位置が地図アプリケーションの地図に反映された地図情報を表示させることを特徴としている。
【発明の効果】
【００６２】
本発明の請求項１に係るインフラ設備の管理システムは、インフラ設備の特定情報とこれらインフラ設備の設備図面上の座標データとを含むインフラ設備情報が収納された記憶手段に基づいてインフラ設備を管理するインフラ設備の管理システムであって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示するようにしたので、インフラ設備の位置を地図アプリケーションの地図に反映させて表示でき、利用者はインフラ設備の場所がどのような場所か地図アプリケーションの地図を通じて確認することができ、作業効率が向上する。
【００６３】
本発明の請求項２２に係るインフラ設備の管理方法は、インフラ設備の特定情報とこれらインフラ設備の設備図面上の座標データとを含むインフラ設備情報が収納された記憶手段に基づいてインフラ設備を管理するインフラ設備の管理方法であって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示するようにしたので、インフラ設備の位置を地図アプリケーションの地図に反映させて表示でき、利用者はインフラ設備の場所がどのような場所か予め地図アプリケーションの地図を通じて確認することができ、作業効率が向上する。
【００６４】
本発明の請求項３２に係るインフラ設備の表示システムは、インフラ設備の特定情報とこれらインフラ設備の設備図面上の座標データとを含むインフラ設備情報が収納された記憶手段に基づいてインフラ設備を表示するインフラ設備の表示システムであって、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示手段にそのインフラ設備の位置が地図アプリケーションの地図に反映された地図情報を表示するようにしたので、インフラ設備の位置を地図アプリケーションの地図に反映させて表示でき、利用者はインフラ設備の場所がどのような場所か予め地図アプリケーションの地図を通じて確認することができ、利便性が向上する。
【００６５】
本発明の請求項３３に係るサーバは、インフラ設備の特定情報とこれらインフラ設備の設備図面上の座標データとを含むインフラ設備情報を更新可能に収納する記憶手段と、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示部にそのインフラ設備の位置が地図アプリケーションの地図に反映された地図情報を表示するようにしたので、インフラ設備の位置を地図アプリケーションの地図に反映させて表示でき、利用者はインフラ設備の場所がどのような場所か予め地図アプリケーションの地図を通じて確認することができ、インフラ設備に対して作業を行う際、作業効率が向上する。
【００６６】
本発明の請求項３５に係る端末装置は、インフラ設備の特定情報とこれらインフラ設備の設備図面上の座標データとを含むインフラ設備情報を更新可能に収納する記憶手段と、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示部にそのインフラ設備の位置が地図アプリケーションの地図に反映された地図情報を表示するようにしたので、インフラ設備の位置を地図アプリケーションの地図に反映させて表示でき、利用者はインフラ設備の場所がどのような場所か予め地図アプリケーションの地図を通じて確認することができ、インフラ設備に対して作業を行う際、作業効率が向上する。
【００６７】
本発明の請求項３７に係るプログラムは、記憶手段にインフラ設備の特定情報とこれらインフラ設備の設備図面上の座標データとを含むインフラ設備情報を更新可能に収納させるとともに、インフラ設備情報が入力されると、記憶手段からインフラ設備の特定情報と座標データとを検索するインフラ設備情報検索手段と、検索されたインフラ設備の設備図面上の座標データに基づいて、地図アプリケーションにより表示される地図上の座標に座標変換する位置座標変換手段と、座標変換された座標変換データを地図アプリケーションにより表示される地図上に反映させて、地図アプリケーションの地図上でインフラ設備の位置を特定して表示する地図反映手段とを備え、外部からインフラ設備情報が入力されると、表示部にそのインフラ設備の位置が地図アプリケーションの地図に反映された地図情報を表示させるようにしたので、インフラ設備の位置を地図アプリケーションの地図に反映させて表示でき、利用者はインフラ設備の場所がどのような場所か予め地図アプリケーションの地図を通じて確認することができ、インフラ設備に対して作業を行う際、作業効率が向上する。
【図面の簡単な説明】
【００６８】
【図１】本発明の一実施形態に係るインフラ設備の管理システムを示す概念図である。
【図２】図１のインフラ設備の管理システムの概要をイメージで示す説明図である。
【図３】図１のインフラ設備の管理システムのセンターサーバと携帯端末の構成を示す構成図である。
【図４】図１のインフラ設備の管理システムにおける電柱の設備情報を示す説明図である。
【図５】図１のインフラ設備の管理システムにおける携帯端末側の情報を示す説明図である。
【図６】図１のインフラ設備の管理システムにおける座標変換工程を示すフローチャートである。
【図７】図６の座標変換の例を示す説明図である。
【図８】（Ａ）ないし（Ｅ）はそれぞれ、電柱位置検索アプリとしての図１のインフラ設備の管理システムを用いて作業対象の電柱を検索する工程を遷移画面で示す説明図である。
【図９】図１のインフラ設備の管理システムにおける作業対象の電柱の特定から携帯端末に作業情報を送信し到着予想時間を割り出すまでの工程を示すフローチャートである。
【図１０】本発明の他の実施形態に係るインフラ設備の管理システムを示す概念図である。
【図１１】図８に示す遷移画面で作業対象の電柱に関連する複数の電柱を示す説明図である。
【図１２】図１１に示す説明図で電柱にカメラの設置を予定している場合、予め地図上でシミュレーションしたカメラの撮影範囲を示す説明図である。
【図１３】カメラの情報を示す撮像装置情報の説明図である。
【図１４】撮影範囲情報反映部の作用を示す説明図である。
【図１５】無線機の情報を示す無線装置情報の説明図である。
【図１６】電波到達範囲情報反映部の作用を示す説明図である。
【図１７】図１１に示す説明図で電柱に無線機の設置を予定している場合、予め地図上でシミュレーションした無線機の電波到達範囲を示す説明図である。
【発明を実施するための形態】
【００６９】
以下、本発明の実施の形態を、図面を参照して説明する。図１は、本発明の一実施形態であるインフラ設備の管理システムを示す概念図である。
【００７０】
本発明の一実施形態に係るインフラ設備の管理システム２は、図１に示すように、センターサーバ３と、このセンターサーバ３と通信ネットワークを介してデータ（情報）を遣り取り可能に接続される携帯端末（端末装置）４（４Ａ〜４Ｎ）とを備えて構成される。センターサーバ３は、図３に示すように、ＣＰＵ３−１と入出力部３−２と記憶部（データベース、記憶手段）３−３と送受信部３−４と登録部３−５とを備えて構成される。また、センターサーバ３は表示装置（モニター）５と電気的に接続され、管理者が表示装置５を通じて管理や保守の状況を把握することができるようになっている。携帯端末４は、ＣＰＵ（マイクロプロセッサ）４−１と記憶部（データベース）４−２と入出力部４−３と表示部４−４と送受信部４−５と登録部４−６とを備えて構成される。また、携帯端末４は、ＧＰＳユニット４−７とこのＧＰＳユニット４−７により得られた位置情報をセンターサーバ３に送信するＧＰＳ位置情報送信部（位置情報送信手段）４−８とを備えて構成される。さらに、携帯端末４は、外部から提供される地図アプリケーションと連携して表示部４−４に地図を表示する地図アプリ表示部４−９と外部から提供される風景表示アプリケーションと連携して表示部４−４にある場所の風景やその周囲のストリートビュー（登録商標）を表示させる風景表示部４−１０とを備えている。携帯端末４は、モバイルフォンやスマートフォン、ラップトップ型パソコン等の持ち運び可能な端末装置から構成される。
【００７１】
さらに、センターサーバ３と携帯端末４とはそれぞれ、通信ネットワークを介して表示装置５や表示部４−４に地図を表示させる地図アプリケーションを提供する第１、第２の地図アプリケーション提供サーバ６、７と接続される。また、センターサーバ３と携帯端末４とはそれぞれ、通信ネットワークを介してある場所を特定するとその場所とその場所の周囲の風景やストリートビュー（道沿いの風景）を表示装置５や表示部４−４に表示させるストリートビュー機能を提供する風景表示アプリケーション提供サーバ８と接続される。
【００７２】
センターサーバ３には、図４に示すように、予め外部から入出力部３−２を通じてインフラ設備としての電柱Ｐ（Ｐ１〜Ｐｎ）の管理情報（インフラ設備情報）Ｉｍ（Ｉｍ１〜Ｉｍｎ）が入力されると、登録部３−５により記憶部３−３に更新可能に記録され登録されるようになっている。電柱Ｐの管理情報Ｉｍには、設備図面上において電柱Ｐを管理する各電柱管理区域Ａ〜Ｎ毎の電柱名（インフラ設備情報）Ｎｍ１〜Ｎｍｎ（Ｎｍ１は、例えば、「甲町イ−０１」というような設備図面上に表記された電柱の名前）と、電柱Ｐを全ての電柱から識別して特定する識別情報（設備特定データ）Ｉｄ１〜Ｉｄｎと、電柱Ｐのトランスや通信設備等の付帯設備情報Ｅｑ１〜Ｅｑｎと、電柱Ｐを管理する電柱管理区域Ｄｓ：Ａ〜Ｄｓ：Ｎの電柱管理区域情報Ｄｓ：Ａ〜Ｄｓ：Ｎ、電柱Ｐの設備図面上の位置情報（日本平面直角座標９系に基づくｘｙ座標データ）Ｌｃ（ｘ：ｙ）（Ｌｃ１／（ｘ１）：（ｙ１）〜Ｌｃｎ／（ｘｎ）：（ｙｎ）と、設備機器の更新予定や更新済みの保守情報Ｍｔ（Ｍｔａ〜Ｍｔｎ）とが含まれ、これらは連携されて登録される。すなわち、例えば、ある電柱Ｐ１についての管理情報Ｉｍ１には、電柱Ｐ１の電柱名Ｎｍ１（甲町イ−０１）と、電柱Ｐ１を特定する識別情報Ｉｄ１と、付帯設備情報Ｅｑ１と、電柱Ｐ１が属する電柱管理区域情報Ｄｓ：Ａと、設備図面上の位置情報Ｌｃ１／（ｘ１）：（ｙ１）とが含まれる。設備図面上の位置情報Ｌｃについては、例えば、図７に示すように、任意の電柱Ｐを、電柱名「筑波山２５８号柱」として記憶部３−３から呼び出すと、日本平面直角座標９系に基づくｘｙ座標データで、「ｘ：２３５４１２１、ｙ：２３４０７３９」というように、ｘ、ｙ座標それぞれで７桁の固有の番号が付与されている。
【００７３】
また、センターサーバ３には、図５に示すように、外部から入出力部３−２を通じて各電柱管理区域Ａ〜Ｎの情報Ｄｓ：Ａ〜Ｄｓ：Ｎと、各電柱管理区域Ｄｓ：Ａ〜Ｄｓ：Ｎにおける作業者Ｗを特定する作業者特定情報（作業者情報）Ｗａ１〜Ｗａｎ，Ｗｂ１〜Ｗｂｎ、・・・Ｗｎ１〜Ｗｎｎ（Ｗａは電柱管理区域Ｄｓ：Ａ担当の作業者Ｗを示す）と、各作業者Ｗが１台ごと利用する予め決められた携帯端末４を特定する携帯端末特定情報（携帯端末情報）ＷＭ（ＷＭａ１〜ＷＭａｎ，ＷＭｂ１〜ＷＭｂｎ、・・・ＷＭｎ１〜ＷＭｎｎ、ＷＭａは電柱管理区域Ａ担当の作業者Ｗａの携帯端末４を示す）とが入力されると、これら各情報が登録部３−５により連携されて記憶部３−３に更新可能に記録され登録されるようになっている。
【００７４】
ところで、センターサーバ３は、図３に示すように、作業対象設備情報検索部（作業対象設備情報検索手段）１０と、位置座標変換部（位置座標変換手段）１１と、地図反映部（地図反映手段）１２と、経路案内部（経路案内手段）１３と、作業情報送信部（作業情報送信手段）１４とを備えて構成される。
【００７５】
作業対象設備情報検索部１０は、外部から作業対象の電柱Ｐ１の電柱名Ｎｍ１（甲町イ−０１号）と当該電柱Ｐ１の作業情報とが作業依頼書（図２参照）として入力されると、この電柱Ｐ１の電柱名Ｎｍ１に関連付けされた作業対象の電柱Ｐ１の特定情報（インフラ設備の特定情報）Ｉｄ１に基づいて、電柱Ｐ１の設備図面上の位置情報であるｘｙ軸座標データＬｃ１／（ｘ１）：（ｙ１）を検索して出力するようになっている。
【００７６】
位置座標変換部１１は、作業対象設備情報検索部１０から作業対象の電柱Ｐ１の設備図面上の座標データＬｃ１／（ｘ１）：（ｙ１）を受け取ると、この日本平面直角座標系（平面直角座標９系のインフラ管理システム）による座標データＬｃ１／（ｘ１）：（ｙ１）（例えば、図７に示すように、任意の電柱Ｐを、電柱名「筑波山２５８号柱」とすると、ｘｙ座標データＬｃが「ｘ：２３５４１２１、ｙ：２３４０７３９」となる座標データ）に基づいて、地図アプリケーション（例えば、Ｍａｐｉｏｎ（登録商標））により表示される地図上の日本測地系に基づく座標（緯度：ｌａｔ．ｎ、経度：ｌｏｎｇ．ｍ）に座標変換するようになっている。例えば、前述の任意の電柱Ｐが、電柱名「筑波山２５８号柱」の場合、ｘｙ座標データＬｃが「ｘ：２３５４１２１、ｙ：２３４０７３９」であるので、これを日本平面直角座標系から日本測地系のデータに座標変換すると、日本平面直角座標系座標データＬｃ／ｘ：２３５４１２１、ｙ：２３４０７３９から日本測地系経緯度座標データＬｃ−Ｊｐ／ｌａｔ．３６１２３８．５５１１８：ｌｏｎｇ．１４００５４２．６５８２５に座標変換されるようになっている。すなわち、日本平面直角座標系のｘ、ｙ軸座標データから日本測地系の緯度と経度による座標データに変換されるようになっている（図６参照）。
【００７７】
また、位置座標変換部１１は、日本平面直角座標系座標データＬｃから緯度データと経度データで表される日本測地系経緯度座標データＬｃ−Ｊｐに座標変換すると、この緯度と経度で表される日本測地系経緯度座標データＬｃ−Ｊｐの緯度データｌａｔ．ｎと経度データｌｏｎｇ．ｍとを第１の地図アプリケーション提供サーバ６に送信するようになっている。第１の地図アプリケーション提供サーバ６は、センターサーバ３から日本測地系経緯度座標データの緯度データｌａｔ．ｎと経度データｌｏｎｇ．ｍとを受け取ると、地図アプリケーション（例えば、Ｍａｐｉｏｎ（登録商標））に対応したマップコードＭＰＣを割り出し、割り出されたマップコードＭＰＣをセンターサーバ３に送信するようになっている。例えば、前述の電柱名「筑波山２５８号柱」の場合、座標変換された日本測地系経緯度座標データＬｃ−Ｊｐ／ｌａｔ．３６１２３８．５５１１８：ｌｏｎｇ．１４００５４２．６５８２５を第１の地図アプリケーション提供サーバ６に送信すると、第１の地図アプリケーション提供サーバ６は、この日本測地系経緯度座標データＬｃ−Ｊｐに対応したマップコードＭＰＣ（ＭＰＣ：１２３４７６２５２）を送り返すようになっている。このように、Ｍａｐｉｏｎ（登録商標）に対応した場合、マップコードＭＰＣは９桁のコード番号となっている。地図アプリケーション「Ｍａｐｉｏｎ」（登録商標）による地図ではこのマップコードＭＰＣを入力することにより、場所が特定されるようになっている。
【００７８】
地図反映部１２は、位置座標変換部１１によりマップコードＭＰＣに変換された座標変換データを地図アプリケーションにより表示される地図上に反映させて、地図アプリケーションの地図（例えば、Ｍａｐｉｏｎ（登録商標））上で電柱Ｐ１の位置を特定して表示するようになっている。電柱Ｐ１の位置を特定して表示された地図は、センターサーバ３の表示装置５やこのデータが送信された携帯端末４の表示部４−４の画面に表示されるようになっている（図８の（Ｂ）参照）。また、地図反映部１２は、受け取ったマップコードＭＰＣを表示装置５や携帯端末４の表示部４−４に表示させるようになっている。このため、作業者Ｗ（Ｗａ）は、携帯端末４の表示部４−４に表示されたマップコードＭＰＣを、作業車両２０（図１参照）に搭載したカーナビゲーションシステム（経路案内手段）２１の入力部に入力すると、カーナビゲーションシステム２１により作業車両２０の現在の場所からマップコードＭＰＣに対応する場所、すなわち、作業対象の電柱Ｐまでの経路が案内されるようになっている。
【００７９】
カーナビゲーションシステム２１は、目的地を入力可能な入力部（図示せず）を有しメモリ部（図示せず）に収納された地図データに基づいて表示部（図示せず）に地図を表示して目的地までの経路を表示する図示しないナビゲーション用コンピュータと、このコンピュータとそれぞれ電気的に接続されたＧＰＳ装置（図示せず）と車両の方位と速度とを検知するセンサ（図示せず）とを有するとともに、リアルタイムで交通情報を提供する道路交通情報通信システム（図示せず）からの情報を受信可能に接続されて構成される。カーナビゲーションシステム２１は、センターサーバ３の後述する作業情報送信部１４により画面に表示された電柱Ｐの位置情報が、作業者によりカーナビゲーションシステム２１の入力部に入力されると、カーナビゲーションシステム２１の現在の位置と作業対象の電柱Ｐの位置との間の経路を図示しない表示部に表示するようなっている。また、カーナビゲーションシステム２１は、図示しない道路交通情報通信システムからの情報に基づいて、交通状況を反映させて経路を表示するようになっている。
【００８０】
さらに、位置座標変換部１１は、座標変換された日本測地系経緯度座標データＬｃ−Ｊｐ／ｌａｔ．ｎ：ｌｏｎｇ．ｍを、世界測地系経緯度座標データＬｃ−ＷＧＳに座標変換するようになっている。世界測地系経緯度座標データＬｃ−ＷＧＳは緯度データｗ・ｌａｔ．と経度データｗ・ｌｏｎｇ．とからなっている。位置座標変換部１１は、日本測地系経緯度座標データＬｃ−Ｊｐ／ｌａｔ．ｎ：ｌｏｎｇ．ｍを世界測地系経緯度座標データＬｃ−ＷＧＳに座標変換すると、座標変換された世界測地系経緯度座標データＬｃ−ＷＧＳ／ｌａｔ．ｗｎ：ｌｏｎｇ．ｗｍを地図反映部１２に出力するようになっている。地図反映部１２は、位置座標変換部１１から世界測地系経緯度座標データＬｃ−ＷＧＳ／ｌａｔ．ｗｎ：ｌｏｎｇ．ｗｍを受け取ると、別の第２の地図アプリケーション提供サーバ７により提供される地図アプリケーションの地図、例えば、グーグルマップ（登録商標）にその電柱Ｐ１の位置を特定して反映させ、センターサーバ３の表示装置５や携帯端末４の表示部４−４に表示させるようになっている。
【００８１】
また、位置座標変換部１１は、日本測地系経緯度座標データＬｃ−Ｊｐ／ｌａｔ．ｎ：ｌｏｎｇ．ｍを世界測地系経緯度座標データＬｃ−ＷＧＳに座標変換すると、座標変換された世界測地系経緯度座標データＬｃ−ＷＧＳ／ｌａｔ．ｗｎ：ｌｏｎｇ．ｗｍを地図反映部１２に出力するようになっている。地図反映部１２は、位置座標変換部１１から世界測地系経緯度座標データＬｃ−ＷＧＳ／ｌａｔ．ｗｎ：ｌｏｎｇ．ｗｍを受け取ると、風景表示アプリケーション提供サーバ８により提供され、表示装置５や表示部４−４に表示されるある場所とその場所の周囲の風景やストリートビュー（道沿いの風景）、例えば、グーグルマップのストリートビュー（登録商標）に対して、受け取った世界測地系経緯度座標データＬｃ−ＷＧＳに基づいて、電柱Ｐ１の場所を特定するようになっている。風景表示アプリケーション提供サーバ８により提供され表示装置５や表示部４−４に表示される風景表示アプリケーションの風景画面や道沿いの風景画面では、地図反映部１２により電柱Ｐ１の場所が特定されると、電柱Ｐ１の場所とその場所の周囲の風景やストリートビュー（登録商標）が表示されるようになっている（図８の（Ｅ）参照）。
【００８２】
このように、本実施形態に係るインフラ設備の管理システム２では、センターサーバ３の管理者側や作業者Ｗ側が記憶部３−３に登録された管理情報Ｉｍに基づき、任意の電柱Ｐを特定したり、ある管理区域における電柱Ｐの保守情報Ｍｔや付帯設備情報Ｅｑから所定の電柱Ｐを選別して特定したりすると、それら電柱Ｐの位置が、地図アプリケーション上の地図に表示されたり、風景表示アプリケーション上の風景画面や道沿いの風景画面に反映されて電柱Ｐの現場の様子がわかるようになっている。なお、電柱Ｐには、図４に示すように、支社名（管理区域名Ｄｓ、例えばＡ支社Ｄｓ：Ａ、Ｂ支社Ｄｓ：Ｂ等）、設備図面上の電柱名（甲町イ、乙山ハ等）、電柱番号（０１、０２等）が記された表示プレートが取り付けられている。このため、センターサーバ３の管理者側や作業者Ｗ側だけでなく、例えば、傷ついた電柱Ｐを発見し、電柱Ｐに表示された電柱番号から管理者側へ通報した通報者などがいる場合、この通報者の端末装置にも、電柱Ｐの位置を地図アプリケーションの地図に反映された地図情報を表示することができるようになっている。このようにすることで、通報者は、通報した行為を管理者側が受け取り、受け取ったことを視覚的に確認することができる。また、通報者は、通報時、電柱（インフラ情報）Ｐの表示プレートに表示された前記設備情報を自分の端末装置の入力部を通じて読み仮名で入力してもよいし、音声で入力するようにしてもよい（添付された町名の読み仮名や町名の読み仮名とともに表示される電柱番号、図４の「ヨミガナ」参照）。このように構成することにより、迅速かつ容易に通報することができる。音声入力の場合、音声入力のアプリを予め端末装置にインストールしておけばよい。
【００８３】
すなわち、本実施形態に係るインフラ設備の管理システム２では、図５に示すように、設備図面の電子ベースのインフラ管理システムの電柱座標を活用し、平面直角座標系ｘｙ座標データから日本測地系へ座標変換し、座標変換された日本測地系経緯度座標データからナビゲーション地図アプリのマップコードを求め、求められたマップコードに基づいて地図アプリの地図上に変換し電柱Ｐの位置を特定して表示するようになっている。また、座標変換された日本測地系経緯度座標データから世界測地系経緯度座標データに座標変換し、座標変換された世界測地系経緯度座標データに基づいて、特定された電柱の位置に応じて、地図アプリケーション上の地図に表示されたり、風景表示アプリケーション上の風景画面や道沿いの風景画面に反映されて現場の様子がわかるようになっている。
【００８４】
センターサーバ３の経路案内部１３は、センターサーバ３が携帯端末４のＧＰＳユニット４−７により得られたＧＰＳ位置情報を受け取ると、このＧＰＳ位置情報に基づいて、地図アプリケーション上の地図に現在の携帯端末４の位置、すなわち、作業者Ｗ（Ｗａ１）の現在の位置から作業対象の電柱Ｐまでの経路を、表示装置５や携帯端末４の表示部４−４に表示させるようになっている。すなわち、作業車両２０に搭載したカーナビゲーションシステム２１では、作業車両２０から作業対象の電柱Ｐまでの経路が案内されるようになっているが、作業車両２０の停車場所から作業対象の電柱Ｐまで距離がある場合など、作業車両２０の停車場所から作業対象の電柱Ｐまでの経路が表示されるようになっている。
【００８５】
作業情報送信部１４は、外部から受け取った電柱Ｐ１の情報と作業依頼を受け付ける特定された携帯端末４の情報とに基づき、電柱Ｐ１の電柱管理区域Ｄｓ：Ａを割り出し、電柱管理区域Ｄｓ：Ａを担当する作業者Ｗ（Ｗａ１）の携帯端末情報ＷＭａ１を導き、導かれた携帯端末情報ＷＭａ１に作業対象の電柱Ｐ１の情報Ｎｍ１（甲町イ−０１）と作業内容が含まれる作業情報と地図アプリケーションの地図に反映された電柱Ｐ１の位置情報とを送信するようになっている。作業者Ｗ（Ｗａ１）は、携帯する自己の携帯端末４（ＷＭａ１）にセンターサーバ３から作業対象の電柱Ｐ１について作業情報が送られてくると、その作業情報を携帯端末４の表示部４−４に表示させて内容を知ることができるようになっている。このとき、作業者Ｗ（Ｗａ１）は、位置座標変換部１１と地図反映部１２とにより携帯端末４の表示部４−４に表示される地図にその電柱Ｐ１の位置を特定して反映させ表示させたり、地図アプリケーション上の地図に表示された電柱Ｐ１の場所やその周囲が、風景表示アプリケーション上の風景画面や道沿いの風景画面に反映されて電柱Ｐ１の現場の様子がわかるようになっている。
【００８６】
また、センターサーバ３は、図３に示すように、風景表示画面共有部（風景表示画面共有手段）１５を備えて構成される。風景表示画面共有部１５は、センターサーバ３の管理者側またはインフラ設備管理区域Ｄｓ：Ａを担当する作業者Ｗ（Ｗａ）側のいずれか一方の要求に応じて、風景表示アプリケーション提供サーバ８により表示される風景の表示画面を、同じインフラ設備管理区域Ｄｓにおける複数の携帯端末間とセンターサーバ３とで同一の画面で共有するようになっている。この風景表示画面共有部１５は、管理者側または作業者Ｗ（Ｗａ）側から風景の表示画面共有を求める要求を受け付けると、要求を受け付けたセンターサーバ３または携帯端末４からの要求を優先し、風景の表示画面共有要求が終了するまで他からの要求を抑制するようになっている。このため、風景表示アプリケーション上の風景画面や道沿いの風景画面に反映された電柱Ｐの現場の様子を多数で同時に見ることができるので、作業の安全確認や作業の工法の確認を効率的に行うことができる。なお、このとき、同じインフラ設備管理区域Ｄｓにおける複数の携帯端末４に限られるものではなく、インフラ設備管理区域Ｄｓ担当の作業者の端末装置がデスクトップタイプのパソコンであってもよい。
【００８７】
さらに、センターサーバ３は、図３に示すように、序列情報作成部（序列情報作成手段）１６と、作業依頼情報送信部（作業依頼情報送信手段）１７を備えて構成される。また、携帯端末４は、経路案内部（経路案内手段）３０と作業諾否情報送信部（作業諾否情報送信手段）３１と到達予想情報生成部（到達予想情報生成手段）３２とを備えて構成される。
【００８８】
携帯端末４の経路案内部３０は、ＧＰＳユニット４−７により得られたＧＰＳ位置情報に基づいて、地図アプリケーション上の地図に現在の携帯端末４の位置、すなわち、作業者Ｗ（Ｗａ１）の現在の位置から作業対象の電柱Ｐまでの経路を、携帯端末４の表示部４−４に表示させるようになっている。また、経路案内部３０は、得られたＧＰＳ位置情報をセンターサーバ３に送信すると、センターサーバ３の風景表示画面共有部１５により、表示される風景の表示画面を、センターサーバ３と同じインフラ設備管理区域Ｄｓにおける複数の携帯端末４間とで同一の画面で共有することができるようになっている（図８の（Ｃ）参照）。さらに、携帯端末４にも経路案内部３０を備えたことにより、通信ネットワーク環境に接続できない場所であっても、携帯端末４に予め外部から地図アプリケーションをダウンロードしておくと、携帯端末４にインストールされた地図に基づいて経路が表示されるようになっている。
【００８９】
センターサーバ３の序列情報作成部１６は、図９に示すように、作業対象設備情報検索部１０から作業対象の電柱Ｐ１の情報と電柱Ｐ１が含まれる電柱管理区域情報Ｄｓ：Ａを受け取ると、作業対象の電柱Ｐ１が含まれる電柱管理区域Ｄｓ：Ａ担当の作業者Ｗ（Ｗａ１〜Ｗａｎ）の携帯端末４（ＷＭａ１〜ＷＭａｎ）からそれぞれ、ＧＰＳ位置情報を収集し、携帯端末４（ＷＭａ１〜ＷＭａｎ）からそれぞれＧＰＳ位置情報を受け取ると、作業対象の電柱Ｐ１の位置に近い携帯端末４（ＷＭａ）から順に序列付けして作業対象の電柱Ｐ１の位置と各携帯端末４（ＷＭａ１〜ＷＭａｎ）との遠近の位置関係をリスト化し、リスト化された序列付け情報Ｉ−Ｒｋを作成し、作業依頼情報送信部１７に受け渡すようになっている。
【００９０】
センターサーバ３の作業依頼情報送信部１７は、序列情報作成部１６から序列付け情報Ｉ−Ｒｋを受け取ると、作業対象の電柱Ｐ１に最も近い位置にある１またはそれ以上の携帯端末４に作業の依頼情報を送信するようになっている。携帯端末４の作業諾否情報送信部３１は、センターサーバ３から序列付け情報Ｉ−Ｒｋを受け取ると、作業受け入れの諾否情報をセンターサーバ３に送信するようになっている。また、作業依頼情報送信部１７は、作業の依頼情報を送信した携帯端末４から作業の依頼を受け付ける情報を受け取ると、この情報を作業情報送信部１４に引き渡すようになっている。さらに、作業依頼情報送信部１７は、作業の依頼情報を送信した携帯端末４の作業者Ｗ（Ｗａ１）から作業依頼受け付け不可の情報を受け取ると、作業対象の電柱Ｐ１に近い順に作業の依頼情報を送信するようになっている。こうして、作業依頼を受け付ける作業者Ｗ（Ｗａ２、Ｗａ３、・・・Ｗａｎ）が現れるまで、序列付け情報Ｉ−Ｒｋに基づいて作業の依頼情報を送信するようになっている。このため、作業場所に近い位置にいる作業者Ｗ（Ｗａ２、Ｗａ３、・・・Ｗａｎ）からその携帯端末４に作業依頼を送ることができるので、作業時間を短縮化することができる。
【００９１】
携帯端末４の到達予想情報生成部３２は、センターサーバ３から作業依頼情報を受け取り、作業依頼を受け付けると、携帯端末４のＧＰＳ位置情報と作業対象の電柱Ｐ１の位置情報とに基づいて、作業対象の電柱Ｐ１までの距離と外部から入力される道路状況の情報とから作業対象の電柱Ｐ１に到着する到着予想時間を割り出し、その距離と到着予想時間とを携帯端末４の表示部４−４に表示するとともに、センターサーバ３に送信するようになっている。センターサーバ３の管理者側は、表示装置５を通じて電柱Ｐ１までの距離と到着予想時間を知ることができるようになっている。このため、センターサーバ３の管理者側では、作業者Ｗａ側の到着予想時間を把握することができるので、作業全体の時間管理がし易くなり、効率的に管理を行うことができる。
【００９２】
また、電柱Ｐの管理情報Ｉｍのうち保守情報Ｍｔ（Ｍｔａ〜Ｍｔｎ）には、ケーブルのルート情報（Ｒｎ：Ｒ０１〜Ｒ９９）が含まれ、関連付けされる（図１１参照）。ケーブルのルート情報Ｒｎとは、設計されたケーブルの新規ルート、ケーブルの保守ルート等をいう。同一のルート情報はケーブルが同一のルートにあることを意味する。ルートが付け替えられると、付け替えられたルート情報が付与されるようになっている。さらに、ある電柱Ｐの特定情報Ｐ０１２（図１１参照）が入力されると、保守情報Ｍｔ０１２（図１１では、保守情報Ｍｔ０１２に含まれるルート情報はＲ０１）に基づいて、同一ルートＲ０１上にある電柱のうち、該当する町名情報（図４参照）と該当する町名（図４の町名、「カブトマチ」参照）に隣り合う町名が関連付けされるようになっている。すなわち、図１１に示すように、保守情報Ｍｔ０１２を持つ電柱Ｐ０１２が特定されると、同一ルートＲ０１上の電柱のうち、該当する「カブトマチ」の町名情報を有する複数の電柱Ｐ０１１、Ｐ０１２、Ｐ０１３と、隣り合う町の複数の電柱Ｐ００１、Ｐ００２、Ｐ００３、Ｐ０１０（「××チョウ」）、Ｐ１００１、Ｐ１００２（「△△マチ」）が関連付けされるようになっている。
【００９３】
このため、ある電柱Ｐの特定情報が入力されると、保守情報Ｍｔに基づいて、同一ルートＲｎ上にある電柱のうち、該当する町名情報と該当する町名に隣り合う町名が関連付けされるので、端末装置（携帯端末）４またはセンターサーバ３の表示装置５に表示される地図上に同一ルートＲｎに沿った電柱Ｐであって、該当する町（「カブトマチ」）にある複数の電柱Ｐ０１１、Ｐ０１２、Ｐ０１３とその町と隣り合う町、例えば「××チョウ」の電柱Ｐ００１、Ｐ００２、Ｐ００３、Ｐ０１０と「△△マチ」の電柱Ｐ１００１、Ｐ１００２が表示されるようになっている。
【００９４】
さらに、ある電柱Ｐの特定情報が入力されると、ルート情報Ｒｎとは別に、その電柱Ｐ０１２の属する町名の電柱と、この町名の町名情報に基づいて隣り合う町の町名情報とが関連付けされるようになっている。すなわち、ある電柱Ｐの特定情報が入力されると、町名情報に基づいて、ルート情報とは関係なく、隣り合う周囲の町の電柱Ｐが関連付けされるようになっている。例えば、図１１で、ある電柱Ｐ０１２の特定情報が入力されると、「カブトマチ」に隣り合う町「○○マチ」、「△△マチ」、「××チョウ」にある電柱Ｐ００１、・・Ｐ１００１等が関連付けされるようになっている。
【００９５】
このため、ある電柱Ｐ０１２の特定情報が入力されると、保守情報Ｍｔに基づいて、該当する町名情報と該当する町名に隣り合う町名が関連付けされるので、端末装置４またはセンターサーバ３の表示装置５に表示される地図上に、該当する町「カブトマチ」とその町に隣り合う町「××チョウ」の電柱Ｐであって、該当する町（「カブトマチ」）にある複数の電柱Ｐ０１１、Ｐ０１２、Ｐ０１３とその町と隣り合う町、例えば「××チョウ」の電柱Ｐ００１、Ｐ００２、Ｐ００３、Ｐ０１０と「△△マチ」の電柱Ｐ１００１、Ｐ１００２が表示されるようになっている。このように、複数の電柱を表示させることにより工事計画や補修計画などを効率的に行うことができる。
【００９６】
なお、これらの表示は、ルート情報Ｒｎに基づく表示と町名情報のみに基づく表示とを同時に表示させるようにしてもよいし、どちらか一方を選択的に表示させるようにしてもよい。つまり、外部から電柱Ｐ０１２の特定情報が入力されると、端末装置４またはセンターサーバ３の表示装置５にその電柱Ｐに関連する複数の電柱Ｐ００１、Ｐ００２、Ｐ００３、Ｐ０１０、Ｐ０１１、Ｐ０１３の位置またはその電柱Ｐ０１２に対応する隣り合う町の複数の電柱Ｐ００１、Ｐ００２、Ｐ００３、Ｐ０１０、Ｐ１００１、Ｐ１００２の位置のうち少なくともいずれか一方を、地図アプリケーションの地図に反映させて表示することができるようになっている。
【００９７】
また、電柱Ｐには、図１２に示すように、外部からの指令に基づいて周囲の風景を撮影するカメラ（撮像装置、機能型装置）４０と外部からの指令信号を受信してカメラ４０に指令信号を出力するとともにこのカメラで撮影された映像を外部に送信する通信装置４１とが設けられ、これらカメラ４０と通信装置４１との特定情報は付帯設備情報（インフラ設備情報）Ｅｑに含まれ、電柱Ｐの設備情報Ｉｍと関連付けされるようになっている。このため、電柱Ｐが特定されると、その周囲の風景がカメラ４０と通信装置４１とを通じて得られるようになっている。
【００９８】
さらに、センターサーバ３の記憶部３−３には、図１３に示すように、カメラ４０の情報（撮像装置情報、機能型装置情報）Ｃが予め記憶される。カメラ４０の情報Ｃには、カメラの種別情報Ｃ−Ｉｍと、カメラの種別毎の有効撮影角度Ｘ度と有効撮影距離Ｙｍとに基づいて電柱への設置高さＨと設置時傾斜角度αとをほぼ所定の値にした場合のカメラの撮影範囲情報Ｔｒｇと、カメラ４０が設置される電柱Ｐが作業者により指定された場合、指定された電柱Ｐの情報と関連付けされたリンク情報（選択された電柱ＩＤ情報、図１３参照）と、その電柱Ｐについてカメラ４０の方位Ｄｒが設定されると、設定された方位情報Ｄｒが含まれる。カメラ４０の種別情報Ｃ−Ｉｍは、例えば、タイプ毎に静止画カメラか動画カメラか、昼間用か昼夜兼用か、撮像角度や撮像距離により種別が区分けされる。
【００９９】
センターサーバ３は、図１４に示すように、撮影範囲情報反映部（撮影範囲情報反映手段、機能範囲情報反映手段）４２を備えている。撮影範囲情報反映部４２は、外部からカメラ４０の情報Ｃとカメラ４０を設置する予定の電柱Ｐの情報Ｉｄｎを受け取ると、これらカメラ４０の情報Ｃと設置予定の電柱Ｐの情報Ｉｄｎを関連付けし、撮影範囲情報Ｔｒｇを地図上に撮影可能な範囲を示す枠として表示させるようになっている。すなわち、撮影範囲情報反映部４２は、地図上で、カメラ４０の設置を予定する電柱Ｐが指定されると、電柱ＰのＩＤ情報に基づいて、この電柱Ｐに所定の高さＨ、所定の傾斜角度αでカメラ４０を設置した場合、この指定された電柱Ｐを中心に回動可能な二等辺三角形の枠を地図上におおよその撮影範囲として表示するようになっている。撮影範囲はカメラ４０の種別により異なる。二等辺間の角度は特定されたカメラの有効撮影角度Ｘ度に、二等辺の各辺の長さは有効撮影距離Ｙｍにそれぞれ準じるようになっている。地図上では、建物などの障害物は無視して二等辺三角形の枠が表示される。地図上に表示された二等辺三角形の枠は、カメラを水平面上でどの方向に向ければ所望の場所を撮影することができるか、方位Ｄｒを設定することができるようになっている。すなわち、北を０°とした時計回りの回動角β°が入力されるか、南北東西に基づいて、北（Ｎ）、北西（ＮＷ）、北北西（ＮＮＷ）等の東西南北の方位が設定されるか、または、枠を地図上でカーソルによって回すかすることにより、カメラ４０を所望の位置に向けることができるようになっている。その方位Ｄｒが設定されると、設定された方位Ｄｒが撮影範囲情報Ｔｒｇとリンクされて記録されるようになっている。このため、カメラ４０の撮影範囲を予め地図上でシミュレーションして確認できるので、カメラの設置計画を効率的に行うことができる。なお、撮影範囲情報反映部４２は、カメラ４０の情報Ｃのうち、指定された電柱Ｐについてカメラ４０の方位情報Ｄｒが入力されない場合、枠を表示させないようにしてもよいし、デフォルトで一定の方位で最初表示するようにしてもよい。
【０１００】
また、撮影範囲情報反映部４２は、電柱Ｐの情報Ｉｄｎと関連付けされ、作業者から登録の情報が入力されると、付帯設備情報（インフラ設備情報）Ｅｑに電柱Ｐの情報Ｉｄｎとカメラ４０の情報Ｃとが関連付けされて記憶部３−３に記憶されるようになっている。このため、常時、最新のインフラ設備情報と撮像装置情報を地図を通じて迅速に得ることができ、作業効率が向上する。
【０１０１】
さらに、センターサーバ３の記憶部３−３には、図１５に示すように、携帯電話等の中継局となる無線機（無線装置、機能型装置）５０の情報（無線装置情報）Ｓが予め記憶される。無線機５０の情報Ｓは、無線機５０の種別情報と高さＨに応じた有効電波到達距離Ｚ（Ｚは円の半径）とが含まれる。例えば、あるタイプの無線機５０では、高さＨ＝３ｍでＺ＝１００ｍという情報Ｓが予め入力されている。
【０１０２】
センターサーバ３は、図１６に示すように、電波到達範囲情報反映部（電波到達範囲情報反映手段、機能範囲情報反映手段）５１を備えている。電波到達範囲情報反映部５１は、外部から無線機５０の情報Ｓと無線機５０を設置する予定の電柱Ｐの情報Ｉｄｎを受け取ると、これら無線機５０の情報Ｓと設置予定の電柱の情報Ｉｄｎを関連付けし、関連付けされた電柱Ｐを中心に有効電波到達距離Ｚを半径とする円形枠を地図上に反映させて表示させるようになっている（図１７参照）。すなわち、電波到達範囲情報反映部５１は、地図上で、無線機５０の設置を予定する電柱Ｐが指定されると、電柱ＰのＩＤ情報に基づいて、この電柱Ｐに所定の高さＨで無線機５０を設置した場合、この指定され関連付けされた電柱Ｐを中心に有効電波到達距離Ｚを半径とする円形枠を地図上に反映させて表示させるようになっている。有効電波到達距離Ｚは無線機５０の種別により異なり予め決められており、記憶部３−３に無線機５０の情報Ｓとして記憶されている。このため、無線機５０を電柱Ｐに設置する前に、地図上で、その電柱Ｐに設置した場合、高さＨを設定すると、無線機５０の有効撮影範囲が表示されるようになっている。このため、無線機５０の有効電波到達範囲を予め地図上でシミュレーションして確認できるので、無線機の設置計画を効率的に行うことができる。
【０１０３】
また、電波到達範囲情報反映部５１は、電柱Ｐの情報Ｉｄｎと関連付けされ、作業者から登録の情報が入力されると、付帯設備情報（インフラ設備情報）Ｅｑに電柱Ｐの情報Ｉｄｎと無線機５０の情報Ｓとが関連付けされて記憶部３−３に記憶されるようになっている。このため、常時、最新のインフラ設備情報と無線装置情報を地図を通じて迅速に得ることができ、作業効率が向上する。また、撮像装置情報や無線装置情報を利用して工事計画や補修計画などを効率的に行うことができる。
【０１０４】
次に、本発明のインフラ設備の管理方法について、上記一実施形態に係るインフラ設備の管理システム２の作用に基づいて説明する。本発明のインフラ設備の管理方法では、まず、センターサーバ３の入出力部３−２を通じて、作業対象の電柱Ｐ１とその電柱Ｐ１の作業情報とが作業依頼書として入力されると（図８の（Ａ）参照）、作業対象設備情報検索部１０により電柱Ｐ１の特定情報Ｉｄ１に基づいて、電柱Ｐ１の設備図面上の位置情報であるｘｙ軸座標データＬｃ１／（ｘ１）：（ｙ１）を検索し、このｘｙ軸座標データＬｃ１／（ｘ１）：（ｙ１）を位置座標変換部１１に出力する。位置座標変換部１１は、座標データＬｃ１／（ｘ１）：（ｙ１）を受け取ると、この日本平面直角座標系による座標データＬｃ１／（ｘ１）：（ｙ１）を、地図アプリケーション（例えば、Ｍａｐｉｏｎ（登録商標））により表示される地図上の日本測地系に基づく座標（緯度：ｌａｔ．ｎ、経度：ｌｏｎｇ．ｍ）に座標変換し、この座標変換された日本測地系経緯度座標データＬｃ−Ｊｐ／ｌａｔ．ｎ：ｌｏｎｇ．ｍを前記地図アプリケーションを提供する第１の地図アプリケーション提供サーバ６に送信する。第１の地図アプリケーション提供サーバ６は、センターサーバ３から日本測地系経緯度座標データＬｃ−Ｊｐ／ｌａｔ．ｎ：ｌｏｎｇ．ｍを受け取ると、地図アプリケーション上の地図に電柱Ｐ１の位置を反映させて表示させるマップコードＭＰＣをセンターサーバ３に送り返す（図６、図７参照）。センターサーバ３は、マップコードＰＭＣを受け取ると、地図反映部１２により地図アプリケーションの地図上で電柱Ｐ１の位置を特定して、センターサーバ３の表示装置５やこのデータが送信された携帯端末４の表示部４−４の画面に表示させる（図８の（Ｂ）参照）。
【０１０５】
また、センターサーバ３は、位置座標変換部１１により座標変換された日本測地系経緯度座標データＬｃ−Ｊｐ／ｌａｔ．ｎ：ｌｏｎｇ．ｍを世界測地系経緯度座標データＬｃ−ＷＧＳに座標変換し、地図反映部１２に引き渡す。地図反映部１２は、この世界測地系経緯度座標データＬｃ−ＷＧＳ／ｌａｔ．ｗｎ：ｌｏｎｇ．ｗｍを受け取ると、別の第２の地図アプリケーション提供サーバ７により提供される地図アプリケーションの地図、例えば、グーグルマップ（登録商標）にその電柱Ｐ１の位置を特定して反映させ、センターサーバ３の表示装置５や携帯端末４の表示部４−４に表示させる（図８の（Ｄ）参照）。
【０１０６】
さらに、センターサーバ３は、地図反映部１２により位置座標変換部１１から座標変換された世界測地系経緯度座標データＬｃ−ＷＧＳ／ｌａｔ．ｗｎ：ｌｏｎｇ．ｗｍを受け取ると、風景表示アプリケーション提供サーバ８により提供され、表示装置５や表示部４−４に表示されるある場所とその場所の周囲の風景や道沿いの風景（例えば、グーグルマップのストリートビュー（登録商標））に対して、受け取った世界測地系経緯度座標データＬｃ−ＷＧＳに基づいて、電柱Ｐ１の場所を特定する。風景表示アプリケーション提供サーバ８により提供され表示装置５や表示部４−４に表示される風景表示アプリケーションの風景画面や道沿いの風景画面では、地図反映部１２により電柱Ｐ１の場所が特定されると、電柱Ｐ１の場所とその場所の周囲の風景や道沿いの風景が表示される（図８の（Ｅ）参照）。なお、風景画面やストリートビュー（登録商標）の画面では、静止画だけでなく、静止画を連続再生させて、動きのある動画としても表示可能になっている。
【０１０７】
このように、本実施形態に係るインフラ設備の管理システム２では、作業者Ｗａが電柱の作業を行う際、センターサーバ３の記憶部３−３に登録された管理情報Ｉｍに基づき、作業対象の電柱Ｐの情報を受け取ると、当該作業対象の電柱Ｐの位置が、地図アプリケーション上の地図に表示されたり、風景表示アプリケーション上の風景画面やストリートビュー（登録商標）の画面に反映されて電柱Ｐの現場の様子がわかるようになっている。このため、予め作業場所が正確にわかったり、準備を整えて作業に向かうことができ、作業を効率化することができる。
【０１０８】
また、センターサーバ３側の経路案内部１３が、携帯端末４のＧＰＳユニット４−７により得られたＧＰＳ位置情報を受け取ると、このＧＰＳ位置情報に基づいて、地図アプリケーション上の地図に現在の携帯端末４の位置、すなわち、作業者Ｗａの現在の位置から作業対象の電柱Ｐまでの経路を、表示装置５や携帯端末４の表示部４−４に表示させる。すなわち、作業車両２０に搭載したカーナビゲーションシステム２１では、作業車両２０から作業対象の電柱Ｐまでの経路が案内されるようになっているが、作業車両２０の停車場所から作業対象の電柱Ｐまで距離がある場合など、作業車両２０の停車場所から作業対象の電柱Ｐまでの経路が表示されるようになっている。この場合、作業車両２０の停車場所から電柱Ｐまでの経路は、携帯端末４に表示されるので、作業者Ｗは作業車両２０から降りて電柱Ｐに向かう場合、携帯端末４により電柱Ｐまでの経路を確認しながら作業場所に到達できる。このように、作業対象の電柱Ｐまでの経路が表示されるので、作業場所までの到着時間を短縮化することができる。一方、携帯端末４側でも、経路案内部３０によりＧＰＳユニット４−７により得られたＧＰＳ位置情報に基づいて、地図アプリケーション上の地図に現在の携帯端末４の位置、すなわち、作業者Ｗａの現在の位置から作業対象の電柱Ｐまでの経路が、携帯端末４の表示部４−４に表示されるようになっている。
【０１０９】
さらに、風景表示画面共有部１５により風景表示アプリケーション提供サーバ８により表示される風景の表示画面を、センターサーバ３と、同じインフラ設備管理区域Ｄｓにおける複数の携帯端末４間とで同一の画面で共有することができるので（図８の（Ｃ）参照）、電柱Ｐの現場の様子を多数で同時に見ることができ、作業の安全確認や作業の工法の確認を効率的に行うことができる。
【０１１０】
また、序列情報作成部１６により作業対象の電柱Ｐ１の位置に近い携帯端末４（ＷＭａ）から順に序列付けして作業対象の電柱Ｐ１の位置と各携帯端末４（ＷＭａ１〜ＷＭａｎ）との遠近の位置関係がリスト化された序列付け情報Ｉ−Ｒｋが作成されると、序列付け情報Ｉ−Ｒｋは作業依頼情報送信部１７に受け渡される。作業依頼情報送信部１７がこの序列付け情報Ｉ−Ｒｋを受け取ると、作業依頼情報送信部１７は、作業対象の電柱Ｐ１に最も近い位置にある携帯端末４に作業の依頼情報を送信する。作業の依頼情報を受け取った作業対象の電柱Ｐ１の現場により近い場所にいる作業者Ｗａは、この作業の依頼情報に対して携帯端末４の作業諾否情報送信部３１を通じて作業受け入れの諾否情報をセンターサーバ３に送信する。センターサーバ３は、作業の依頼情報を送信した携帯端末４から作業の依頼を受け付ける情報を受け取ると、この情報を作業情報送信部１４に引き渡し、作業情報送信部１４は、当該作業対象の電柱Ｐ１の情報と作業情報とを当該携帯端末４に送信する。センターサーバ３は、作業の依頼情報を送信した携帯端末４から作業の依頼を受け付けない情報を受け取ると、作業依頼を受け付ける作業者Ｗａが現れるまで、序列付け情報Ｉ−Ｒｋに基づいて作業の依頼情報を送信するようになっている。このため、作業場所に近い位置にいる作業者Ｗａからその携帯端末４に作業依頼を送ることができるので、作業時間を短縮化することができる。
【０１１１】
さらに、携帯端末４の到達予想情報生成部３２により、携帯端末４がセンターサーバ３から作業依頼情報を受け取り、作業依頼を受け付けると、携帯端末４のＧＰＳ位置情報と作業対象の電柱Ｐ１の位置情報とに基づいて、作業対象の電柱Ｐ１までの距離と外部から入力される道路状況の情報とから作業対象の電柱Ｐ１に到着する到着予想時間を割り出し、その距離と到着予想時間とが携帯端末４の表示部４−４に表示されるとともに、センターサーバ３に送信される。このため、センターサーバ３の管理者側では、作業者Ｗａ側の到着予想時間を把握することができるので、作業全体の時間管理がし易くなり、効率的に管理を行うことができる。
【０１１２】
また、外部から電柱Ｐ０１２の特定情報が入力されると、端末装置４またはセンターサーバ３の表示装置５にその電柱Ｐに関連する複数の電柱Ｐ００１、Ｐ００２、Ｐ００３、Ｐ０１０、Ｐ０１１、Ｐ０１３の位置またはその電柱Ｐ０１２に対応する隣り合う町の複数の電柱Ｐ００１、Ｐ００２、Ｐ００３、Ｐ０１０、Ｐ１００１、Ｐ１００２の位置のうち少なくともいずれか一方を、地図アプリケーションの地図に反映させて表示することができるようになっているので、工事計画や補修計画などの作業効率を向上させることができる。つまり、電線ケーブルの新規ルートの設計や電線ケーブルの保守ルートの確認、また工事対象電柱付近の電柱状況の確認などを効率的に行うことができる。このように、特定された電柱Ｐ０１２の周囲の複数の電柱を表示させることができるので、インフラ計画を効率的に実施することができる。
【０１１３】
さらに、電柱Ｐには、カメラ４０と通信装置４１とが設けられているので、電柱Ｐの工事や補修を行う際、予め電柱Ｐ周囲の様子をカメラ４０で確認することができ、作業員が現地に出向く際、準備が容易になり、かつ効率化される。また、作業も短縮化することができる。つまり、作業員の現地出向が容易になり、ストリートビュー（登録商標）で設置確認をすることができるので、事前に設備対象を確認することができ、作業時間を短縮化することができる。さらに、地図とストリートビュー（登録商標）とカメラ４０の撮像情報とを選択的に表示することにより電線ケーブルのルートの表示や設計、回線ルートの表示や設計が効率化される。
【０１１４】
また、カメラ４０や無線機５０の設置を計画する際、カメラ４０の撮影範囲や無線機５０の電波到達範囲を、予め地図上でシミュレーションして確認できるので、カメラや無線機の設置計画を効率的に行うことができる。
【０１１５】
なお、上記実施形態では、電柱Ｐ（インフラ設備）の管理システムとその方法について述べたが、これに限られるものではなく、インフラ設備の設備図面上の座標データを地図アプリケーションの地図データの座標系に座標変換して、地図アプリケーションの地図に反映させて表示すればよく、インフラ設備の表示システムとその方法にも適用可能であることは言うまでもない。このような表示システムとすることにより、インフラ設備の保守管理に限ることなく、インフラ設備に記載された表示を手がかりに、警察や消防が探している場所を特定したり、あるグループが集まる場所を利用者に知らせたりすることもできる。その場合も、アプリケーション上の地図だけでなく、その場所の風景も表示することができるので、予め準備を整えることができる。
【０１１６】
また、上記実施形態では、提供される地図アプリケーションを、外部の第１、第２の地図アプリケーション提供サーバ６、７により、ダウンロードして用いるようにしているがこれに限られるものではなく、予めセンターサーバや携帯端末４に管理区域についての地図アプリケーションをインストールして利用してもよいし、一般に市販されている地図アプリ（地図アプリケーション）をインストールして用いるようにしてもよい。また、提供される風景表示アプリケーションを、外部の風景表示アプリケーション提供サーバ８により、ダウンロードして用いるようにしているがこれに限られるものではなく、予めセンターサーバ３や携帯端末４に管理区域についての風景表示アプリケーションをインストールしたり、ＤＶＤ等のメディアを利用してもよい。さらに、上記実施形態では、インフラ設備として電柱を例に上げているがこれに限られるものではなく、街路灯、信号機、道路標識、マンホール、施設、設備および建築物などの固定構造体であればよい。また、上記実施形態では、経路案内部をセンターサーバ３や携帯端末４に備えて構成した例を挙げているがこれに限られるものではなく、地図アプリケーション提供サーバ６、７側に設け、電柱の位置情報と地図アプリケーションとを連携させ、地図アプリケーション提供サーバ６、７とセンターサーバ３とにより位置情報を遣り取りして地図アプリケーションの地図に経路を反映させるようにしてもよい。
【０１１７】
さらに、上記実施形態では、端末装置としてモバイルフォンやスマートフォン、ラップトップ型パソコン等の携帯端末を例示しているが、これに限られるものではなく、車両に積み込まれて移動可能なデスクトップ型パソコンも含まれることはいうまでもない。また、上記実施形態は、センターサーバに記憶手段を含む各手段を設けるようにしているがこれに限られるものではなく、他の実施形態ではこれら少なくともインフラ設備情報検索手段と位置座標変換手段と地図反映手段とを含む各手段とを携帯端末１０４に設けるようにしてもよい（図１０参照）。この場合、インフラ設備の特定情報Ｉｄ１〜Ｉｄｎとこれらインフラ設備の設備図面上の座標データＬｃ１／（ｘ１）：（ｙ１）〜Ｌｃｎ／（ｘｎ）：（ｙｎ）とを含むインフラ設備情報Ｉｍ１〜Ｉｍｎを携帯端末１０４の記憶部４−２に収納するようにすればよい。
【０１１８】
また、センターサーバ３の記憶部３−３にインフラ設備の特定情報とこれらインフラ設備の設備図面上の座標データとを含むインフラ設備情報を収納させ、携帯端末４には、このインフラ設備情報を収納させないで、少なくともインフラ設備情報検索手段と位置座標変換手段と地図反映手段とを含む各手段を備えるように構成し、携帯端末４がセンターサーバ３と情報の遣り取りを繰り返しながら、携帯端末４の表示部４−４に表示される地図アプリケーション上の地図にインフラ設備の位置を反映させるようにしてもよい。そして、この反映された地図をセンターサーバ３側でも表示させるようにしてもよい。
【０１１９】
さらに、インフラ設備情報を収納する記憶手段を含み少なくともインフラ設備情報検索手段と位置座標変換手段と地図反映手段とを含む各手段を外部のサーバ（またはクラウドサーバ）１０３に設けるようにしてもよいし、センターサーバ３と携帯端末１０４との両方に設けるようにしてもよい。これら少なくともインフラ設備情報検索手段と位置座標変換手段と地図反映手段とを含む各手段を携帯端末１０４に設ける場合であって、センターサーバ３を備えていない場合、携帯端末１０４同士が通信ネットワークで接続されていればよく、携帯端末１０４とセンターサーバ３とを接続する必要はない。各手段がセンターサーバ３と携帯端末１０４との両方に設けられる場合、例えば、インターネットなどの通信ネットワークが万一使用できなくなっても、センターサーバ３に問い合わせることなく携帯端末１０４側だけで、インフラ設備の位置をアプリの地図に反映させて表示することができる。
【０１２０】
また、上記実施形態では、少なくともインフラ設備情報検索手段と位置座標変換手段と地図反映手段とを含む各手段をセンターサーバ３に設けるようにしているがこれに限られるものではなく、それぞれ記憶部を備えたセンターサーバ３や端末装置４、１０４、外部のサーバ１０３にメディアやサーバを通じてインストールされるプログラムから構成してもよい（図１０参照）。
【符号の説明】
【０１２１】
３  センターサーバ
３−３  記憶部（データベース、記憶手段）
４  携帯端末
１０  作業対象設備情報検索部（インフラ設備情報検索手段）
１１  位置座標変換部（位置座標変換手段）
１２  地図反映部（地図反映手段）
１４  作業情報送信部（作業情報送信手段）
Ｄｓ  電柱管理区域（インフラ設備管理区域）
Ｐ  電柱（インフラ設備）
Ｉｄ  電柱の特定データ（インフラ設備の特定情報）
Ｌｃ／ｘ：ｙ  座標データ
Ｉｍ  電柱の管理情報（インフラ設備情報）
Ｗ  作業者
Ｗａ１〜Ｗｎｎ  作業者の特定情報
ＷＭａ１〜ＷＭｎｎ  携帯端末の特定情報
【図１】
2016164655.tif 000003
【図３】
2016164655.tif 000004
【図４】
2016164655.tif 000005
【図５】
2016164655.tif 000006
【図６】
2016164655.tif 000007
【図９】
2016164655.tif 000008
【図１０】
2016164655.tif 000009
【図１１】
2016164655.tif 000010
【図１２】
2016164655.tif 000011
【図１３】
2016164655.tif 000012
【図１４】
2016164655.tif 000013
【図１５】
2016164655.tif 000014
【図１６】
2016164655.tif 000015
【図１７】
2016164655.tif 000016
【図２】
2016164655.tif 000017
【図７】
2016164655.tif 000018
【図８】
2016164655.tif 000019